(57)【要約】  基地局デバイスは、単一のｅＰＤＣＣＨメッセージを通して複数の移動局デバイスに共通制御情報を送信する。各移動局デバイスは、これらの共通制御メッセージが送信されている共通サーチスペースを監視し、該共通メッセージを検出して該共通メッセージに含まれている情報を回復することができる。
2016529745.tif 000002
【特許請求の範囲】
【請求項１】
基地局デバイスと通信する移動局デバイスであって、前記移動局デバイスは、
前記移動局デバイスにまたは前記動局デバイスが属するグループに宛てられている制御情報について前記ＰＤＣＣＨ  ＵＥ特有および共通サーチスペースならびに前記ＥＰＤＣＣＨ  ＵＥ特有および共通サーチスペースのいずれかまたは両方を監視し、
監視が行われる各サブフレームのために監視アサンプションの１つのセットから監視アサンプションの異なるセットへ切り替わることができる、
移動局デバイス。
【請求項２】
監視アサンプションの前記セットは、前記移動局デバイスにより期待される前記リソース・エレメント・マッピング・アサンプションを定義する、請求項１に記載の移動局デバイス。
【請求項３】
監視アサンプションの前記セットは、前記移動局デバイスにより期待される前記準コロケーション・アサンプションを定義する、請求項１に記載の移動局デバイス。
【請求項４】
アサンプションのセット同士の間の前記切り替わりは、前記基地局デバイスにより送信される前記アップリンク−ダウンリンク設定およびＥＰＤＣＣＨインジケーションに従って行われ、
１つのセットのアサンプションは、それのために前記ＥＰＤＣＣＨインジケーションがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項１に記載の移動局デバイス。
【請求項５】
アサンプションのセット同士の間の前記切り替わりは、前記基地局により送信されるＥＰＤＣＣＨインジケーションと、幾つかのサブフレームをアップリンクまたはダウンリンクのために設定可能なものであるとして信号するアップリンク−ダウンリンク設定パラメータの対とに従って行われ、
１つのセットのアサンプションは、それのために前記ＥＰＤＣＣＨインジケーションがアクティブであるところのレガシー・サブフレーム内の前記ＥＰＤＣＣＨサーチスペースを監視する前記移動局デバイスに関係し、
他の１つのセットのアサンプションは、それのために前記ＥＰＤＣＣＨインジケーションがアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項１に記載の移動局デバイス。
【請求項６】
アサンプションのセット同士の間の前記切り替わりは、前記基地局デバイスにより送信される前記アップリンク−ダウンリンク設定および２つのＥＰＤＣＣＨインジケーションに従って行われ、
１つのセットのアサンプションは、それのために前記ＥＰＤＣＣＨインジケーションのうちの１つがアクティブであるところのサブフレーム内の前記ＥＰＤＣＣＨサーチスペースを監視する前記移動局デバイスに関係し、
他の１つのセットのアサンプションは、それのために前記ＥＰＤＣＣＨインジケーションのうちの他の１つがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項１に記載の移動局デバイス。
【請求項７】
アサンプションのセット同士の間の前記切り替わりは、幾つかのサブフレームをアップリンクまたはダウンリンクのために設定可能なものであるとして信号するアップリンク−ダウンリンク設定パラメータの対に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項１に記載の移動局デバイス。
【請求項８】
アサンプションのセット同士の間の前記切り替わりは、幾つかのサブフレームをアップリンクまたはダウンリンクのために設定可能なものであるとして信号するアップリンク−ダウンリンク設定パラメータの対に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項１に記載の移動局デバイス。
【請求項９】
移動局デバイスと通信する基地局デバイスであって、前記基地局デバイスは、
共通情報を１グループの移動局デバイスに送信するために前記制御情報を前記ＰＤＣＣＨ共通サーチスペースにまたは前記ｅＰＤＣＣＨ共通サーチスペースに交互にマッピングし、
各サブフレームのために１セットの移動局デバイス監視アサンプションから切り替わることができる、
基地局デバイス。
【請求項１０】
移動局デバイス監視アサンプションの前記セットは、前記移動局デバイスにより期待されるべき前記リソース・エレメント・マッピング・アサンプションを定義する、請求項９に記載の基地局デバイス。
【請求項１１】
移動局デバイス監視アサンプションの前記セットは、前記移動局デバイスにより期待されるべき前記準コロケーション・アサンプションを定義する、請求項９に記載の基地局デバイス。
【請求項１２】
前記基地局デバイスは、
アップリンク−ダウンリンク設定インジケーションを送信し、
ＥＰＤＣＣＨインジケーションを送信し、
アサンプションのセット間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項９に記載の基地局デバイス。
【請求項１３】
前記基地局デバイスは、
幾つかのサブフレームをアップリンクまたはダウンリンクのために設定可能なものであるとして信号する１対のアップリンク−ダウンリンク設定インジケーションを送信し、
ＥＰＤＣＣＨインジケーションを送信し、
アサンプションのセット同士の間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのレガシー・サブフレーム内の前記ＥＰＤＣＣＨサーチスペースを監視する前記移動局デバイスに関係し、
他の１つのセットのアサンプションは、前記ＥＰＤＣＣＨインジケーションがそれのためにアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項９に記載の基地局デバイス。
【請求項１４】
前記基地局デバイスは、
アップリンク−ダウンリンク設定インジケーションを送信し、
２つのＥＰＤＣＣＨインジケーションを送信し、
アサンプションのセット同士の間の前記切り替わりは、前記アップリンク−ダウンリンク設定および前記２つのＥＰＤＣＣＨインジケーションに従って行われ、
１つのセットのアサンプションは、前記ＥＰＤＣＣＨインジケーションのうちの１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのうちの他の１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項９に記載の基地局デバイス。
【請求項１５】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項９に記載の基地局デバイス。
【請求項１６】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項９に記載の基地局デバイス。
【請求項１７】
基地局デバイスと移動局デバイスとが互いに通信する通信システムであって、前記移動局デバイス前記移動局デバイスがその下で監視を行うところのアサンプションの前記セットがサブフレームごとに異なり得る、前記移動局デバイス。
【請求項１８】
監視アサンプションの前記セットは、前記移動局デバイスにより期待される前記リソース・エレメント・マッピング・アサンプションを定義する、請求項１７に記載の通信システム。
【請求項１９】
監視アサンプションの前記セットは、前記移動局デバイスにより期待される前記準コロケーション・アサンプションを定義する、請求項１７に記載の通信システム。
【請求項２０】
前記基地局デバイスは、
アップリンク−ダウンリンク設定を前記移動局デバイスに送信し、
前記移動局デバイスが前記ＥＰＤＣＣＨサーチスペースを監視するように期待されるかどうかを示すＥＰＤＣＣＨインジケーションを前記移動局デバイスに送信し、
１つのセットのアサンプションは、前記ＥＰＤＣＣＨインジケーションがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項１７に記載の通信システム。
【請求項２１】
前記基地局デバイスは、
幾つかのサブフレームをアップリンクまたはダウンリンクのために設定可能なものであるとして信号するアップリンク−ダウンリンク設定インジケーションの対を送信し、
ＥＰＤＣＣＨインジケーションを送信し、
アサンプションのセット同士の間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのレガシー・サブフレーム内の前記ＥＰＤＣＣＨサーチスペースを監視する前記移動局デバイスに関係し、
他の１つのセットのアサンプションは、それのために前記ＥＰＤＣＣＨインジケーションがアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項１７に記載の通信システム。
【請求項２２】
前記基地局デバイスは、
アップリンク−ダウンリンク設定インジケーションを送信し、
２つのＥＰＤＣＣＨインジケーションを送信し、
アサンプションのセット同士の間の前記切り替わりは、前記アップリンク−ダウンリンク設定および前記２つのＥＰＤＣＣＨインジケーションに従って行われ、
１つのセットのアサンプションは、前記ＥＰＤＣＣＨインジケーションのうちの１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのうちの他の１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項１７に記載の通信システム。
【請求項２３】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは前記アップリンク−ダウンリンク設定に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項１７に記載の通信システム。
【請求項２４】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは前記アップリンク−ダウンリンク設定に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項１７に記載の通信システム。
【請求項２５】
移動局デバイスのための通信方法であって、前記通信方法は、
前記移動局デバイスにまたは前記移動局デバイスが属するグループに宛てられている制御情報について前記ＰＤＣＣＨ  ＵＥ特有および共通サーチスペースならびに前記ＥＰＤＣＣＨ  ＵＥ特有および共通サーチスペースのいずれかまたは両方を監視する前記ステップを含み、
監視が行われる各サブフレームのために監視アサンプションの１つのセットから監視アサンプションの異なるセットに切り替わることができる、
通信方法。
【請求項２６】
監視アサンプションの前記セットは、前記移動局デバイスにより期待される前記リソース・エレメント・マッピング・アサンプションを定義する、請求項２５に記載の通信方法。
【請求項２７】
監視アサンプションの前記セットは、前記移動局デバイスにより期待される前記準コロケーション・アサンプションを定義する、請求項２５に記載の通信方法。
【請求項２８】
アサンプションのセット同士の間の前記切り替わりは、前記基地局デバイスにより送信される前記アップリンク−ダウンリンク設定およびＥＰＤＣＣＨインジケーションに従って行われ、
１つのセットのアサンプションは、それのために前記ＥＰＤＣＣＨインジケーションがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項２５に記載の通信方法。
【請求項２９】
アサンプションのセット同士の間の前記切り替わりは、前記基地局により送信されるＥＰＤＣＣＨインジケーションと、幾つかのサブフレームをアップリンクまたはダウンリンクのために設定可能なものであるとして信号するアップリンク−ダウンリンク設定パラメータの対とに従って行われ、
１つのセットのアサンプションは、それのために前記ＥＰＤＣＣＨインジケーションがアクティブであるところのレガシー・サブフレーム内の前記ＥＰＤＣＣＨサーチスペースを監視する前記移動局デバイスに関係し、
他の１つのセットのアサンプションは、それのために前記ＥＰＤＣＣＨインジケーションがアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項２５に記載の通信方法。
【請求項３０】
アサンプションのセット同士の間の前記切り替わりは、前記基地局デバイスにより送信される前記アップリンク−ダウンリンク設定および２つのＥＰＤＣＣＨインジケーションに従って行われ、
１つのセットのアサンプションは、それのために前記ＥＰＤＣＣＨインジケーションのうちの１つがアクティブであるところのサブフレーム内の前記ＥＰＤＣＣＨサーチスペースを監視する前記移動局デバイスに関係し、
他の１つのセットのアサンプションは、それのために前記ＥＰＤＣＣＨインジケーションのうちの他の１つがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項２５に記載の通信方法。
【請求項３１】
アサンプションのセット同士の間の前記切り替わりは、幾つかのサブフレームをアップリンクまたはダウンリンクのために設定可能なものであるとして信号するアップリンク−ダウンリンク設定パラメータの対に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項２５に記載の通信方法。
【請求項３２】
アサンプションのセット同士の間の前記切り替わりは、幾つかのサブフレームをアップリンクまたはダウンリンクのために設定可能なものであるとして信号するアップリンク−ダウンリンク設定パラメータの対に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項２５に記載の通信方法。
【請求項３３】
基地局デバイスのための通信方法であって、前記通信方法は、
共通情報を１グループの移動局デバイスに送信するために前記制御情報を前記ＰＤＣＣＨ共通サーチスペースにまたは前記ｅＰＤＣＣＨ共通サーチスペースに交互にマッピングする前記ステップを含み、
各サブフレームのために１セットの移動局デバイス監視アサンプションから切り替わることができる、
通信方法。
【請求項３４】
移動局デバイス監視アサンプションの前記セットは、前記移動局デバイスにより期待されるべき前記リソース・エレメント・マッピング・アサンプションを定義する、請求項３３に記載の通信方法。
【請求項３５】
移動局デバイス監視アサンプションの前記セットは、前記移動局デバイスにより期待されるべき前記準コロケーション・アサンプションを定義する、請求項３３に記載の通信方法。
【請求項３６】
前記基地局デバイスは、
アップリンク−ダウンリンク設定インジケーションを送信し、
ＥＰＤＣＣＨインジケーションを送信し、
アサンプションのセット間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項３３に記載の通信方法。
【請求項３７】
前記基地局デバイスは、
幾つかのサブフレームをアップリンクまたはダウンリンクのために設定可能なものであるとして信号する１対のアップリンク−ダウンリンク設定インジケーションを送信し、
ＥＰＤＣＣＨインジケーションを送信し、
アサンプションのセット同士の間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのレガシー・サブフレーム内の前記ＥＰＤＣＣＨサーチスペースを監視する前記移動局デバイスに関係し、
他の１つのセットのアサンプションは、前記ＥＰＤＣＣＨインジケーションがそれのためにアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項３３に記載の通信方法。
【請求項３８】
前記基地局デバイスは、
アップリンク−ダウンリンク設定インジケーションを送信し、
２つのＥＰＤＣＣＨインジケーションを送信し、
アサンプションのセット同士の間の前記切り替わりは、前記アップリンク−ダウンリンク設定および前記２つのＥＰＤＣＣＨインジケーションに従って行われ、
１つのセットのアサンプションは、前記ＥＰＤＣＣＨインジケーションのうちの１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのうちの他の１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項３３に記載の通信方法。
【請求項３９】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項３３に記載の通信方法。
【請求項４０】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項３３に記載の通信方法。
【請求項４１】
基地局デバイスと通信する移動局デバイスのための集積回路であって、前記集積回路は、
前記集積回路にまたは前記集積回路が属するグループに宛てられている制御情報について前記ＰＤＣＣＨ  ＵＥ特有および共通サーチスペースならびに前記ＥＰＤＣＣＨ  ＵＥ特有および共通サーチスペースのいずれかまたは両方を監視する機能を有し、
監視が行われる各サブフレームのために監視アサンプションの１つのセットから監視アサンプションの異なるセットへ切り替わることができる、
集積回路。
【請求項４２】
監視アサンプションの前記セットは、前記移動局デバイスにより期待される前記リソース・エレメント・マッピング・アサンプションを定義する、請求項４１に記載の集積回路。
【請求項４３】
監視アサンプションの前記セットは、前記移動局デバイスにより期待される前記準コロケーション・アサンプションを定義する、請求項４１に記載の集積回路。
【請求項４４】
アサンプションのセット同士の間の前記切り替わりは、前記基地局デバイスにより送信される前記アップリンク−ダウンリンク設定およびＥＰＤＣＣＨインジケーションに従って行われ、
１つのセットのアサンプションは、それのために前記ＥＰＤＣＣＨインジケーションがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項４１に記載の集積回路。
【請求項４５】
アサンプションのセット同士の間の前記切り替わりは、前記基地局により送信されるＥＰＤＣＣＨインジケーションと、幾つかのサブフレームをアップリンクまたはダウンリンクのために設定可能なものであるとして信号する１対のアップリンク−ダウンリンク設定パラメータとに従って行われ、
１つのセットのアサンプションは、それのために前記ＥＰＤＣＣＨインジケーションがアクティブであるところのレガシー・サブフレーム内の前記ＥＰＤＣＣＨサーチスペースを監視する前記移動局デバイスに関係し、
他の１つのセットのアサンプションは、それのために前記ＥＰＤＣＣＨインジケーションがアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項４１に記載の集積回路。
【請求項４６】
アサンプションのセット同士の間の前記切り替わりは、前記基地局デバイスにより送信される前記アップリンク−ダウンリンク設定および２つのＥＰＤＣＣＨインジケーションに従って行われ、
１つのセットのアサンプションは、それのために前記ＥＰＤＣＣＨインジケーションのうちの１つがアクティブであるところのサブフレーム内の前記ＥＰＤＣＣＨサーチスペースを監視する前記移動局デバイスに関係し、
他の１つのセットのアサンプションは、それのために前記ＥＰＤＣＣＨインジケーションのうちの他の１つがアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項４１に記載の集積回路。
【請求項４７】
アサンプションのセット同士の間の前記切り替わりは、幾つかのサブフレームをアップリンクまたはダウンリンクのために設定可能なものであるとして信号する１対のアップリンク−ダウンリンク設定パラメータに従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項４１に記載の集積回路。
【請求項４８】
アサンプションのセット同士の間の前記切り替わりは、幾つかのサブフレームをアップリンクまたはダウンリンクのために設定可能なものであるとして信号する１対のアップリンク−ダウンリンク設定パラメータに従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項４１に記載の集積回路。
【請求項４９】
移動局デバイスと通信する基地局デバイスのための集積回路であって、前記集積回路は、
共通情報を１グループの移動局デバイスに送信するために前記制御情報を前記ＰＤＣＣＨ共通サーチスペースにまたは前記ｅＰＤＣＣＨ共通サーチスペースに交互にマッピングする機能を有し、
各サブフレームのために移動局デバイス監視アサンプションの１つのセットから切り替わることができる、
集積回路。
【請求項５０】
移動局デバイス監視アサンプションの前記セットは、前記移動局デバイスにより期待されるべき前記リソース・エレメント・マッピング・アサンプションを定義する、請求項４９に記載の集積回路。
【請求項５１】
移動局デバイス監視アサンプションの前記セットは、前記移動局デバイスにより期待されるべき前記準コロケーション・アサンプションを定義する、請求項４９に記載の集積回路。
【請求項５２】
前記基地局デバイスは、
アップリンク−ダウンリンク設定インジケーションを送信し、
ＥＰＤＣＣＨインジケーションを送信し、
アサンプションのセット間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項４９に記載の集積回路。
【請求項５３】
前記基地局デバイスは、
幾つかのサブフレームをアップリンクまたはダウンリンクのために設定可能なものであるとして信号する１対のアップリンク−ダウンリンク設定インジケーションを送信し、
ＥＰＤＣＣＨインジケーションを送信し、
アサンプションのセット同士の間の前記切り替わりは、前記アップリンク−ダウンリンク設定および前記ＥＰＤＣＣＨインジケーションに従って行われ、
１つのセットのアサンプションは、前記ＥＰＤＣＣＨインジケーションがそれのためにアクティブであるところのレガシー・サブフレーム内の前記ＥＰＤＣＣＨサーチスペースを監視する前記移動局デバイスに関係し、
他の１つのセットのアサンプションは、前記ＥＰＤＣＣＨインジケーションがそれのためにアクティブであるところの非レガシー・サブフレーム内の前記ＥＰＤＣＣＨサーチスペースを監視する前記移動局デバイスに関係し、
他の１つのセットのアサンプションは、前記ＥＰＤＣＣＨインジケーションがアクティブでないダウンリンクのために設定されているサブフレーム内の前記ＰＤＣＣＨサーチスペースを監視する前記移動局デバイスに関係する、
請求項４９に記載の集積回路。
【請求項５４】
前記基地局デバイスは、
アップリンク−ダウンリンク設定インジケーションを送信し、
２つのＥＰＤＣＣＨインジケーションを送信し、
アサンプションのセット同士の間の前記切り替わりは、前記アップリンク−ダウンリンク設定および前記２つのＥＰＤＣＣＨインジケーションに従って行われ、
１つのセットのアサンプションは、前記ＥＰＤＣＣＨインジケーションのうちの１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのうちの他の１つがそれのためにアクティブであるところのサブフレーム内の前記ＥＰＤＣＣＨサーチスペースを監視する前記移動局デバイスに関係し、
他の１つのセットのアサンプションは、前記ＥＰＤＣＣＨインジケーションのいずれもがアクティブでないダウンリンクのために設定されているサブフレーム内の前記ＰＤＣＣＨサーチスペースを監視する前記移動局デバイスに関係する、
請求項４９に記載の集積回路。
【請求項５５】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＥＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＥＰＤＣＣＨサーチスペースを監視する前記移動局デバイスに関係する、
請求項４９に記載の集積回路。
【請求項５６】
前記基地局デバイスは、
幾つかのサブフレームをアップリンクまたはダウンリンクのために設定可能なものであるとして信号する１対のアップリンク−ダウンリンク設定インジケーションを送信し、
アサンプションのセット同士の間の前記切り替わりは、前記アップリンク−ダウンリンク設定に従って行われ、
１つのセットのアサンプションは、ダウンリンクのために設定されているレガシー・サブフレーム内の前記ＰＤＣＣＨサーチスペースを監視する前記移動局デバイスに関係し、
他の１つのセットのアサンプションは、ダウンリンクのために設定されることができる、前記移動局デバイスがその中にアップリンク送信許可を有しないところの非レガシー・サブフレーム内の前記ＰＤＣＣＨサーチスペースを監視する前記移動局デバイスに関係する、
請求項４９に記載の集積回路。
【発明の詳細な説明】
【技術分野】
【０００１】
本書は、ＬＴＥにおけるｅＰＤＣＣＨのための拡張共通サーチスペースに焦点を当てて、無線通信システムに適用し得る方法およびプロセスを記述する。
【背景技術】
【０００２】
第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ（３ＧＰＰ））は、セルラモバイル通信のための無線アクセス方式および無線ネットワーク（以降、“ロングタームエボリューション（Ｌｏｎｇ  Ｔｅｒｍ  Ｅｖｏｌｕｔｉｏｎ（ＬＴＥ））”または“進化型ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＥＵＴＲＡ））”と称される）の進化を絶えず研究している。ＬＴＥでは、マルチキャリヤ送信方式である直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））方式が、基地局デバイス（以降、“基地局装置”、“基地局”、“ｅＮＢ”、“アクセスポイント”とも称される）から移動局デバイス（以降、“移動局”、“端末局”、“端末局装置”、“ユーザ装置”、“ＵＥ”、“ユーザ”とも称される）への無線通信のための通信方式として使用される。さらに、シングルキャリヤ送信方式であるシングルキャリヤ周波数分割多重アクセス（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ））は、移動局デバイスから基地局デバイスへの（アップリンク）無線通信のための通信方式として使用される。
【０００３】
３ＧＰＰでは、ＬＴＥとの下位互換性を持つためにＬＴＥの周波数帯域より広い周波数帯域を用いるより高速のデータ通信を実現する無線アクセス方式および無線ネットワーク（以降、“ロングタームエボリューション−アドバンスト（Ｌｏｎｇ  Ｔｅｒｍ  Ｅｖｏｌｕｔｉｏｎ−Ａｄｖａｎｃｅｄ（ＬＴＥ−Ａ））”または“アドバンスト進化型ユニバーサル地上無線アクセス（Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ａ−ＥＵＴＲＡ））”と称される）を可能にするために研究が行われている。すなわち、ＬＴＥ−Ａの基地局デバイスはＬＴＥ−ＡおよびＬＴＥの両方の移動局デバイスとの無線通信を同時に行うことができ、ＬＴＥ−Ａの移動局デバイスはＬＴＥ−ＡおよびＬＴＥの両方の基地局デバイスと無線通信を行うことができる。ＬＴＥ−Ａのチャネル構造はＬＴＥのチャネル構造と同じであって、非特許文献１および２に記載されている。
【０００４】
ＬＴＥでは、基地局デバイスは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ（ＰＤＣＣＨ））または拡張ＰＤＣＣＨ（ｅｎｈａｎｃｅｄ  ＰＤＣＣＨ（ｅＰＤＣＣＨまたはＥＰＤＣＣＨ））を通して制御情報を送信する。移動局は、自局宛てのメッセージを探してＰＤＣＣＨ領域を、より具体的には、“サーチスペース”と称される該領域のサブスペースを、監視する。個々の移動局デバイスに特に宛てられたメッセージを監視するためのサーチスペースは、ユーザサーチスペース（Ｕｓｅｒ  Ｓｅａｒｃｈ  Ｓｐａｃｅ（ＵＳＳ））と称される。１グループの移動局デバイスに宛てられたメッセージを探すために監視するためのサーチスペースは共通サーチスペース（Ｃｏｍｍｏｎ  Ｓｅａｒｃｈ  Ｓｐａｃｅ（ＣＳＳ））と称される。ｅＰＤＣＣＨの場合には、移動局はｅＰＤＣＣＨ領域のサブスペースを監視して個々の移動局デバイスに特に宛てられたメッセージを探す（ｅＰＤＣＣＨ  ＵＳＳ。以降、ｅＵＳＳとも称される）。基地局デバイスは、非特許文献３に記載されているように、無線リソース制御（Ｒａｄｉｏ  Ｒｅｓｏｕｒｃｅ  Ｃｏｎｔｒｏｌ（ＲＲＣ））メッセージを用いて移動局デバイスを設定することができる。
【先行技術文献】
【非特許文献】
【０００５】
【非特許文献１】第３世代パートナーシッププロジェクト；技術仕様グループ無線アクセスネットワーク；「進化型ユニバーサル地上無線アクセス（Ｅ−ＵＴＲＡ）；物理チャネルおよび変調（リリース１１）」；３ＧＰＰ  ＴＲ３６．  ２１１  ｖ１１．３．０。（２０１３−０６）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ＞
【非特許文献２】第３世代パートナーシッププロジェクト；技術仕様グループ無線アクセスネットワーク；「進化型ユニバーサル地上無線アクセス（Ｅ−ＵＴＲＡ）；物理層プロシージャ（リリース１１）」、３ＧＰＰ  ＴＲ３６．２１３  ｖ１１．３．０。（２０１３−０６）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１３．ｈｔｍ＞
【非特許文献３】第３世代パートナーシッププロジェクト；技術仕様グループ無線アクセスネットワーク；「進化型ユニバーサル地上無線アクセス（Ｅ−ＵＴＲＡ）；無線リソース制御（Ｒａｄｉｏ  Ｒｅｓｏｕｒｃｅ  Ｃｏｎｔｒｏｌ（ＲＲＣ））（リリース１１）」、３ＧＰＰ  ＴＲ３６．３３１  ｖ１１．３．０。（２０１３−０３）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６３３１．ｈｔｍ＞
【発明の概要】
【発明が解決しようとする課題】
【０００６】
関連技術には、移動局デバイスが複数の移動局デバイスに宛てられた共通メッセージを探して監視をするように期待されているという、ＥＰＤＣＣＨ共通サーチスペースについての詳しい記述が無い。現在の仕様の下では、複数の移動局に共通情報を送信するために基地局はその情報を複数のメッセージで該複数の移動局の各々に送信し、その結果として、不要なオーバーヘッドがもたらされるとともに利用可能リソースの利用が不十分となり、シグナリング能力の欠如の故に通信チャネルが十分に利用されないということになり得る。
【０００７】
本発明は上記問題点に鑑みてなされ、本発明の目的は、移動局デバイス、基地局デバイス、無線通信システム、無線通信方法、および、基地局デバイスが単一のｅＰＤＣＣＨメッセージの送信を通して複数の移動局に共通制御情報を送信できるようにする集積回路を提供することである。
【課題を解決するための手段】
【０００８】
（１）本発明は上記課題を解決するためになされ、本発明の一態様に従って、基地局デバイスと通信する移動局デバイスが提供され、ここで該移動局デバイスは、該移動局デバイスにまたは該移動局デバイスが属するグループに宛てられている制御情報についてＰＤＣＣＨ  ＵＥ特有および共通サーチスペースならびにＥＰＤＣＣＨ  ＵＥ特有および共通サーチスペースのいずれかまたは両方を監視し、監視が行われる各サブフレームのために監視アサンプションの１つのセットから監視アサンプションの異なるセットへ切り替えることができる。
【０００９】
（２）本発明の他の態様に従う移動局デバイスは、上記移動局デバイスにおいて、監視アサンプションのセットが該移動局デバイスにより期待されるリソース・エレメント・マッピング・アサンプションを定義するように構成される。
【００１０】
（３）本発明のさらに他の態様に従う移動局デバイスは、上記の移動局デバイスにおいて、監視アサンプションのセットが該移動局デバイスにより期待される準コロケーション・アサンプションを定義するように構成される。
【００１１】
（４）本発明のさらに他の態様に従う移動局デバイスは、上記移動局デバイスにおいて、アサンプションのセット同士の間の切り替えが基地局デバイスにより送信されるアップリンク−ダウンリンク設定およびＥＰＤＣＣＨインジケーションに従って行われるように構成され、１つのセットのアサンプションは、それのために該ＥＰＤＣＣＨインジケーションがアクティブであるところのサブフレーム内のＥＰＤＣＣＨサーチスペースを監視する移動局デバイスに関係し、他の１つのセットのアサンプションは、該ＥＰＤＣＣＨインジケーションがアクティブでないダウンリンクのために設定されているサブフレーム内のＰＤＣＣＨサーチスペースを監視する移動局デバイスに関係する。
【００１２】
（５）本発明のさらに他の態様に従う移動局デバイスは、上記移動局デバイスにおいて、アサンプションのセット同士の間の切り替えが基地局により送信されるＥＰＤＣＣＨインジケーションと、幾つかのサブフレームをアップリンクまたはダウンリンクのために設定可能なものであるとして信号するアップリンク−ダウンリンク設定パラメータの対とに従って行われるように構成され、１つのセットのアサンプションは、それのために該ＥＰＤＣＣＨインジケーションがアクティブであるところのレガシー・サブフレーム内のＥＰＤＣＣＨサーチスペースを監視する移動局デバイスに関係し、他の１つのセットのアサンプションは、それのために該ＥＰＤＣＣＨインジケーションがアクティブであるところの非レガシー・サブフレーム内のＥＰＤＣＣＨサーチスペースを監視する移動局デバイスに関係し、他の１つのセットのアサンプションは該ＥＰＤＣＣＨインジケーションがアクティブでないダウンリンクのために設定されているサブフレーム内のＰＤＣＣＨサーチスペースを監視する移動局デバイスに関係する。
【００１３】
（６）本発明のさらに他の態様に従う移動局デバイスは、上記移動局デバイスにおいて、アサンプションのセット同士の間の切り替えが基地局デバイスにより送信されるアップリンク−ダウンリンク設定および２つのＥＰＤＣＣＨインジケーションに従って行われるように構成され、１つのセットのアサンプションは、それのために該ＥＰＤＣＣＨインジケーションのうちの１つがアクティブであるところのサブフレーム内のＥＰＤＣＣＨサーチスペースを監視する移動局デバイスに関係し、他の１つのセットのアサンプションは、それのために該ＥＰＤＣＣＨインジケーションのうちの他の１つがアクティブであるところのサブフレーム内のＥＰＤＣＣＨサーチスペースを監視する移動局デバイスに関係し、他の１つのセットのアサンプションは該ＥＰＤＣＣＨインジケーションのいずれもがアクティブでないダウンリンクのために設定されているサブフレーム内のＰＤＣＣＨサーチスペースを監視する移動局デバイスに関係する。
【００１４】
（７）本発明のさらに他の態様に従う移動局デバイスは、上記移動局デバイスにおいて、アサンプションのセット同士の間の切り替えが幾つかのサブフレームをアップリンクまたはダウンリンクのために設定可能なものであるとして信号するアップリンク−ダウンリンク設定パラメータの対に従って行われるように構成され、１つのセットのアサンプションは、ダウンリンクのために設定されているレガシー・サブフレーム内のＥＰＤＣＣＨサーチスペースを監視する移動局デバイスに関係し、他の１つのセットのアサンプションは、ダウンリンクのために設定されることができる、該移動局デバイスがその中にアップリンク送信許可を有しないところの非レガシー・サブフレーム内のＥＰＤＣＣＨサーチスペースを監視する移動局デバイスに関係する。
【００１５】
（８）本発明のさらに他の態様に従う移動局デバイスは、上記移動局デバイスにおいて、アサンプションのセット同士の間の切り替えが幾つかのサブフレームをアップリンクまたはダウンリンクのために設定可能なものであるとして信号するアップリンク−ダウンリンク設定パラメータの対に従って行われるように構成され、１つのセットのアサンプションは、ダウンリンクのために設定されているレガシー・サブフレーム内のＰＤＣＣＨサーチスペースを監視する移動局デバイスに関係し、他の１つのセットのアサンプションは、ダウンリンクのために設定され得る、該移動局デバイスがその中にアップリンク送信許可を有しないところの非レガシー・サブフレーム内のＰＤＣＣＨサーチスペースを監視する移動局デバイスに関係する。
【００１６】
（９）本発明のさらに他の態様に従って、移動局デバイスと通信する基地局デバイスが提供され、該基地局デバイスは、共通情報を１グループの移動局デバイスに送信するために制御情報をＰＤＣＣＨ共通サーチスペースにまたはｅＰＤＣＣＨ共通サーチスペースに交互にマッピングし、各サブフレームのために１セットの移動局デバイス監視アサンプションから切り替わることができる。
【００１７】
（１０）本発明のさらに他の態様に従う基地局デバイスは、上記基地局デバイスにおいて、移動局デバイス監視アサンプションのセットが移動局デバイスにより期待されるべきリソース・エレメント・マッピング・アサンプションを定義するように構成される。
【００１８】
（１１）本発明のさらに他の態様に従う基地局デバイスは、上記基地局デバイスにおいて、移動局デバイス監視アサンプションのセットが移動局デバイスにより期待されるべき準コロケーション・アサンプションを定義するように構成される。
【００１９】
（１２）本発明のさらに他の態様に従う基地局デバイスは、上記基地局デバイスがアップリンク−ダウンリンク設定インジケーションを送信し、ＥＰＤＣＣＨインジケーションを送信するように構成され、アサンプションのセット同士の間の切り替えは該アップリンク−ダウンリンク設定および該ＥＰＤＣＣＨインジケーションに従って行われ、１つのセットのアサンプションは、該ＥＰＤＣＣＨインジケーションがそれのためにアクティブであるところのサブフレーム内のＥＰＤＣＣＨサーチスペースを監視する移動局デバイスに関係し、他の１つのセットのアサンプションは、該ＥＰＤＣＣＨインジケーションがアクティブでないダウンリンクのために設定されているサブフレーム内のＰＤＣＣＨサーチスペースを監視する移動局デバイスに関係する。
【００２０】
（１３）本発明のさらに他の態様に従う基地局デバイスは、上記基地局デバイスが、幾つかのサブフレームをアップリンクまたはダウンリンクのために設定可能なものであるとして信号する１対のアップリンク−ダウンリンク設定インジケーションを送信し、ＥＰＤＣＣＨインジケーションを送信するように構成され、アサンプションのセット同士の間の切り替えは、該アップリンク−ダウンリンク設定および該ＥＰＤＣＣＨインジケーションに従って行われ、１つのセットのアサンプションは、該ＥＰＤＣＣＨインジケーションがそれのためにアクティブであるところのレガシー・サブフレーム内のＥＰＤＣＣＨサーチスペースを監視する移動局デバイスに関係し、他の１つのセットのアサンプションは、該ＥＰＤＣＣＨインジケーションがそれのためにアクティブであるところの非レガシー・サブフレーム内のＥＰＤＣＣＨサーチスペースを監視する移動局デバイスに関係し、他の１つのセットのアサンプションは、該ＥＰＤＣＣＨインジケーションがアクティブでないダウンリンクのために設定されているサブフレーム内のＰＤＣＣＨサーチスペースを監視する移動局デバイスに関係する。
【００２１】
（１４）本発明のさらに他の態様に従う基地局デバイスは、上記基地局デバイスがアップリンク−ダウンリンク設定インジケーションを送信し、２つのＥＰＤＣＣＨインジケーションを送信するように構成され、アサンプションのセット同士の間の切り替えは、該アップリンク−ダウンリンク設定および該２つのＥＰＤＣＣＨインジケーションに従って行われ、１つのセットのアサンプションは、該ＥＰＤＣＣＨインジケーションのうちの１つがそれのためにアクティブであるところのサブフレーム内のＥＰＤＣＣＨサーチスペースを監視する移動局デバイスに関係し、他の１つのセットのアサンプションは、該ＥＰＤＣＣＨインジケーションのうちの他の１つがそれのためにアクティブであるところのサブフレーム内のＥＰＤＣＣＨサーチスペースを監視する移動局デバイスに関係し、他の１つのセットのアサンプションは、該ＥＰＤＣＣＨインジケーションのいずれもがアクティブでないダウンリンクのために設定されているサブフレーム内のＰＤＣＣＨサーチスペースを監視する移動局デバイスに関係する。
【００２２】
（１５）本発明のさらに他の態様に従う基地局デバイスは、上記基地局デバイスが幾つかのサブフレームをアップリンクまたはダウンリンクのために設定可能なものであるとして信号する１対のアップリンク−ダウンリンク設定インジケーションを送信するように構成され、アサンプションのセット同士の間の切り替えは、該アップリンク−ダウンリンク設定に従って行われ、１つのセットのアサンプションは、ダウンリンクのために設定されているレガシー・サブフレーム内のＥＰＤＣＣＨサーチスペースを監視する移動局デバイスに関係し、他の１つのセットのアサンプションは、ダウンリンクのために設定されることができる、該移動局デバイスがその中にアップリンク送信許可を有しないところの非レガシー・サブフレーム内のＥＰＤＣＣＨサーチスペースを監視する移動局デバイスに関係する。
【００２３】
（１６）本発明のさらに他の態様に従う基地局デバイスは、上記基地局デバイスが、幾つかのサブフレームをアップリンクまたはダウンリンクのために設定可能なものであるとして信号する１対のアップリンク−ダウンリンク設定インジケーションを送信するように構成され、アサンプションのセット同士の間の切り替えは、該アップリンク−ダウンリンク設定に従って行われ、１つのセットのアサンプションは、ダウンリンクのために設定されているレガシー・サブフレーム内のＰＤＣＣＨサーチスペースを監視する移動局デバイスに関係し、他の１つのセットのアサンプションは、ダウンリンクのために設定されることができる、該移動局デバイスがその中にアップリンク送信許可を有しないところの非レガシー・サブフレーム内のＰＤＣＣＨサーチスペースを監視する移動局デバイスに関係する。
【００２４】
（１７）本発明のさらに他の態様に従って、基地局デバイスと移動局デバイスとが互いに通信する通信システムが提供され、該基地局デバイスは、共通情報を１グループの移動局デバイスに送信するべく制御情報をＰＤＣＣＨ共通サーチスペースにまたはｅＰＤＣＣＨ共通サーチスペースに交互にマッピングし、各サブフレームのために１セットの移動局デバイス監視アサンプションから切り替わることができ、該移動局デバイスは、該移動局デバイスにまたは該移動局デバイスが属するグループに宛てられている制御情報についてＰＤＣＣＨ  ＵＥ特有および共通サーチスペースならびにＥＰＤＣＣＨ  ＵＥ特有および共通サーチスペースのいずれかまたは両方を監視し、監視が行われる各サブフレームのために監視アサンプションの１つのセットから監視アサンプションの異なるセットへ切り替わることができる。
【００２５】
（１８）本発明のさらに他の態様に従って、基地局デバイスと通信する移動局デバイスのための通信方法が提供され、該通信方法は、該移動局デバイスにまたは該移動局デバイスが属するグループに宛てられている制御情報についてＰＤＣＣＨ  ＵＥ特有および共通サーチスペースならびにＥＰＤＣＣＨ  ＵＥ特有および共通サーチスペースのいずれかまたは両方を監視するステップと、監視が行われる各サブフレームのために監視アサンプションの１つのセットから監視アサンプションの異なるセットへ切り替わるステップとを含む。
【００２６】
（１９）本発明のさらに他の態様に従って、移動局デバイスと通信する基地局デバイスのための通信方法が提供され、該通信方法は、共通情報を１グループの移動局デバイスに送信するべく制御情報をＰＤＣＣＨ共通サーチスペースにまたはｅＰＤＣＣＨ共通サーチスペースに交互にマッピングするステップと、各サブフレームのために１セットの移動局デバイス監視アサンプションから切り替わるステップとを含む。
【００２７】
（２０）本発明のさらに他の態様に従って、基地局デバイスと通信する移動局デバイスのための集積回路が提供され、該集積回路は、該移動局デバイスにまたは該移動局デバイスが属するグループに宛てられている制御情報についてＰＤＣＣＨ  ＵＥ特有および共通サーチスペースならびにＥＰＤＣＣＨ  ＵＥ特有および共通サーチスペースのいずれかまたは両方を監視し、監視が行われる各サブフレームのために監視アサンプションの１つのセットから監視アサンプションの異なるセットへ切り替わる機能を有する。
【００２８】
（２１）本発明のさらに他の態様に従って、移動局デバイスと通信する基地局デバイスのための集積回路が提供され、該集積回路は、共通情報を１グループの移動局デバイスに送信するべく制御情報をＰＤＣＣＨ共通サーチスペースにまたはｅＰＤＣＣＨ共通サーチスペースに交互にマッピングする機能と、各サブフレームのために１セットの移動局デバイス監視アサンプションから切り替わる機能とを有する。
【発明の効果】
【００２９】
本発明に従って、基地局デバイスは、単一のｅＰＤＣＣＨメッセージを通して共通制御情報を複数の移動局デバイスに送信することができる。
【図面の簡単な説明】
【００３０】
【図１】本発明に従う無線通信システムの概念図である。
【図２】本発明に従うＯＦＤＭ構造構成の例を示す図である。
【図３】レガシー物理リソース・ブロックの例を示す図であり、その定義された基準信号の幾つかが本発明に従う。
【図４】非レガシー・サブフレーム物理リソース・ブロックの例を示す図であり、その定義された基準信号の幾つかが本発明に従う。
【図５】本発明に従う移動局デバイス構成の例を示す図である。
【図６】本発明に従う基地局デバイス構成の例を示す図である。
【図７】本発明に従うＴＤＤ無線通信システムにおける無線フレームの設定の例を示す図である。
【図８】本発明に従うＴＤＤ無線通信システムにおいて可能なアップリンク−ダウンリンク設定を示すテーブルである。
【図９】本発明に従うフレキシブルなサブフレームのインジケーションの例を示す図である。
【図１０】本発明に従う無線通信システムにおけるＰＤＣＣＨのためのＵＥ特有および共通サーチスペース設定の例を示すテーブルである。
【図１１】本発明に従う、物理ＥＰＤＣＣＨ−ＰＲＢ−セットの、その論理ＥＣＣＥへのマッピングの例を示す図である。
【図１２】本発明に従う無線通システムにおけるｅＰＤＣＣＨのためのＵＥ特有サーチスペース設定の例を示すテーブルである。
【図１３】本発明に従う無線通信システムのためのＥＰＤＣＣＨ共通サーチスペースの例を示す図である。
【図１４】本発明に従う無線通信システムにおける物理リソース・ブロックへのＥＰＤＣＣＨ−ＰＲＢ−セット割り当ての例を示す図である。
【図１５】本発明に従うサーチスペースに適用されるべきリソース・エレメント・マッピング・アサンプションを移動局デバイスが演繹するプロセスを記述するフローチャート図である。
【図１６】本発明に従うサーチスペースに適用されるべき準コロケーション・アサンプションを移動局デバイスが演繹するプロセスを記述するフローチャート図である。
【図１７】本発明に従う移動局デバイスによるＥＰＤＣＣＨ明示インジケーションおよびサーチスペース・アサンプションの例を示す図である。
【図１８】本発明に従う移動局デバイスによるＥＰＤＣＣＨ明示インジケーションおよびサーチスペース・アサンプションの例を示す図である。
【図１９】本発明に従う移動局デバイスによるＥＰＤＣＣＨ明示インジケーションおよびサーチスペース・アサンプションの例を示す図である。
【図２０】本発明に従う移動局デバイスによるＥＰＤＣＣＨ暗示インジケーションおよびサーチスペース・アサンプションの例を示す図である。
【図２１】本発明に従う移動局デバイスによるＥＰＤＣＣＨ暗示インジケーションおよびサーチスペース・アサンプションの例を示す図である。
【図２２】本発明によるＲＲＣメッセージＥＰＤＣＣＨ−Ｃｏｎｆｉｇ−ｒ１２の例を示す図である。
【図２３】本発明に従う基地局デバイスにより移動局デバイスに送信される複数のビットマップの例を示す図である。
【図２４】本発明に従うフレキシブルなサブフレームとしてサブフレームを設定することの例を示す図である。
【図２５】本発明に従うフレキシブルなサブフレームとしてサブフレームを設定することの例を示す図である。
【図２６】本発明に従う基地局デバイスにより移動局デバイスに送信される複数のビットマップの例を示す図である。
【図２７】本発明に従うフレキシブルなサブフレームとしてサブフレームを設定することの例を示す図である。
【図２８】ｅＣＳＳ  ｅＰＤＣＣＨ−ＰＲＢセットの明示インジケーションのために使用され得る情報エレメントの例を示す図である。
【発明を実施するための形態】
【００３１】
以下において、図面を参照して本発明の実施態様が詳しく記載される。始めに、本発明に従う物理チャネルが記述される。
【００３２】
図１は、実例となる通信システムを示す。基地局デバイス１は、物理ダウンリンク制御チャネル（ＰＤＣＣＨ）または拡張ＰＤＣＣＨ（Ｅｎｈａｎｃｅｄ  ＰＤＣＣＨ（ｅＰＤＣＣＨ））３を通して移動局デバイス２に制御情報を送信する。この制御情報はデータ４のダウンリンク送信を支配する。移動局デバイス２は、データ４の受信の肯定応答または否定応答（ＡＣＫ／ＮＡＣＫ）を物理アップリンク制御チャネル（Ｐｈｙｓｉｃａｌ  Ｕｐｌｉｎｋ  Ｃｏｎｔｒｏｌ  Ｃｈａｎｎｅｌ（ＰＵＣＣＨ））５を通して基地局デバイス１に送信する。
【００３３】
ＰＤＣＣＨおよびｅＰＤＣＣＨで送信される情報メッセージは、多くのＲＮＴＩ（Ｒａｄｉｏ  Ｎｅｔｗｏｒｋ  Ｔｅｍｐｏｒａｒｙ  Ｉｄｅｎｔｉｆｉｅｒ（無線ネットワーク仮識別子））のうちの１つを用いてスクランブルされる。使用されるスクランブル符号はメッセージの機能を区別するのに役立つ。例えば、ページングのためのＲＮＴＩ（Ｐ−ＲＮＴＩ）、ランダムアクセスのためのＲＮＴＩ（ＲＡ−ＲＮＴＩ）、スケジューリングなどのセル関連操作のためのＲＮＴＩ（Ｃ−ＲＮＴＩ）、半持続的スケジューリングのためのＲＮＴＩ（ＳＰＳ−ＲＮＴＩ）、システム情報のためのＲＮＴＩ（ＳＩ−ＲＮＴＩ）、あるいは移動局デバイスのグループに向けられたメッセージのためのＲＮＴＩ（ＵＥ−グループＲＮＴＩ）がある。
【００３４】
基地局デバイス１および移動局デバイス２は、選択された送信モード（ｔｒａｎｓｍｉｓｓｉｏｎ  ｍｏｄｅ（ＴＭ））に対応する一連の所定パラメータおよびアサンプションに従って互いに通信する。種々のシナリオおよび使用ケースを含む複数のオプションを提供するために送信モード１ないし１０が定義されている。例えば、ＴＭ１は単アンテナ送信に対応し、ＴＭ２は送信ダイバーシティに対応し、ＴＭ３は開ループ空間多重化に対応し、ＴＭ４は閉ループ空間多重化に対応し、ＴＭ５はマルチ・ユーザＭＩＭＯ（Ｍｕｌｔｉｐｌｅ  Ｉｎｐｕｔ  Ｍｕｌｔｉｐｌｅ  Ｏｕｔｐｕｔ（多入力多出力））に対応し、ＴＭ６は単層コードブック・ベースのプリコーディングに対応し、ＴＭ７はＤＭ−ＲＳを用いる単層送信に対応し、ＴＭ８はＤＭ−ＲＳを用いる２層送信に対応し、ＴＭ９はＤＭ−ＲＳを用いる多層送信に対応し、ＴＭ１０はＤＭ−ＲＳを用いる８層送信に対応する。
【００３５】
図２は、ダウンリンク・サブフレームの構造例を示す。ダウンリンク送信はＯＦＤＭＡを通して行われる。ダウンリンク・サブフレームは、１ｍｓの長さを有し、ＰＤＣＣＨ、ｅＰＤＣＣＨおよびＰＤＳＣＨに分割されていると大まかに考えられる。各サブフレームは２スロットから構成される。各スロットは０．５ｍｓの長さを有する。スロットはさらに時間領域において複数のＯＦＤＭシンボルに分割され、該シンボルの各々は周波数領域において複数のサブキャリヤから構成される。ＬＴＥシステムにおいては１つのＲＢは１２個のサブキャリヤと７個（または６個）のＯＦＤＭシンボルとを含む。各ＯＦＤＭシンボルの各サブキャリヤはリソース・エレメント（Ｒｅｓｏｕｒｃｅ  Ｅｌｅｍｅｎｔ（ＲＥ））である。スロット内に存在する全てのＲＥのグルーピングはリソース・ブロック（Ｒｅｓｏｕｒｃｅ  Ｂｌｏｃｋ（ＲＢ））を構成する。サブフレーム内に存在する２つの物理的に連続するリソース・ブロックのグルーピングは物理リソース・ブロック・ペア（Ｐｈｙｓｉｃａｌ  Ｒｅｓｏｕｒｃｅ  Ｂｌｏｃｋ  ｐａｉｒ（ＰＲＢペア））を構成する。ＰＲＢペアは１２個のサブキャリヤ×１４個のＯＦＤＭシンボルを含む。ＰＤＣＣＨ領域は、フレームの初めの１から４までのＯＦＤＭシンボルのＲＥを占有する。
【００３６】
図３は、ＰＲＢの例を示す。ＰＲＢのＲＥのうちの幾つかは基準信号によって占有される。種々の基準信号は種々のアンテナ・ポートに関連付けられる。“アンテナ・ポート”という用語は、同一のチャネル状態下での信号送信という意味を伝えるために使用される。例えば、アンテナ・ポート０で送信される信号は同じチャネル状態を経験するが、該チャネル状態はアンテナ・ポート１のチャネル状態とは異なるかもしれない。
【００３７】
Ｒ０〜Ｒ３はセル特有ＲＳ（Ｃｅｌｌ−ｓｐｅｃｉｆｉｃ  ＲＳ（ＣＲＳ））に対応し、Ｒ０〜Ｒ３は、ＰＤＣＣＨと同じアンテナ・ポート（アンテナ・ポート０〜３）で送信され、ＰＤＣＣＨで送信されたデータを復調するために使用され、さらに幾つかの送信モード（ＴＭ）においてＰＤＳＣＨで送信されたデータを復調するためにも使用される。
【００３８】
Ｄ１〜Ｄ２は、ｅＰＤＣＣＨと関連付けられたＤＭ−ＲＳに対応する。Ｄ１〜Ｄ２は、アンテナ・ポート１０７〜１１０で送信され、移動局デバイスがその中のｅＰＤＣＣＨを復調するための復調基準信号として役立つ。ＵＥ特有基準信号は、設定されたときに同じＲＥで（同時にではなく）送信される。ＵＥ特有基準信号は、ポート７〜１４で送信され、移動局デバイスがその中のＰＤＳＣＨを復調するための復調基準信号として役立つ。
【００３９】
Ｃ１〜Ｃ４は、ＣＳＩ−ＲＳ（Ｃｈａｎｎｅｌ  Ｓｔａｔｅ  Ｉｎｆｏｒｍａｔｉｏｎ  ＲＳ（チャネル状態情報ＲＳ））に対応する。Ｃ１〜Ｃ４は、アンテナ・ポート１５〜２２で送信され、移動局デバイスがチャネル状態を測定することを可能にする。
【００４０】
本明細書においては、この設定は、ぼんやりとレガシー・サブフレームと、あるいはＣＲＳで設定されたサブフレームと称される。
【００４１】
図４は、ＣＲＳを伴わないＰＲＢの例を示す。この設定は、レガシー端末によりサポートされない。ＣＲＳが存在しないことは、より多くのＲＥがデータ送信に使用されることを可能にする。本明細書においては、この設定は、ぼんやりと非レガシー・サブフレーム、フレキシブルなサブフレーム、ＣＲＳ無しで設定されたサブフレーム、あるいは減らされたＣＲＳで設定されたサブフレームと称される。
【００４２】
所与のサービング・セルについて、もし移動局デバイスが送信モード１〜９に従って受信されたＰＤＳＣＨデータ送信に設定されているならば、もし移動局デバイスがより高位の層のパラメータｅｐｄｃｃｈ−ＳｔａｒｔＳｙｍｂｏｌ−ｒ１１を用いて設定されているならば、ＥＰＤＣＣＨのための先頭のＯＦＤＭシンボルｌＥＰＤＣＣＨｓｔａｒｔはこのパラメータによって決定される。そうでない場合、帯域幅内に１１個以上のリソース・ブロックが存在するときにはＥＰＤＣＣＨのための先頭のＯＦＤＭシンボルｌＥＰＤＣＣＨｓｔａｒｔは、ＰＤＣＣＨ領域に存在するＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（物理制御フォーマット・インジケータ・チャネル））内に存在するＣＦＩ（Ｃｏｎｔｒｏｌ  Ｆｏｒｍａｔ  Ｉｎｄｉｃａｔｏｒ（制御フォーマット・インジケータ））により与えられ、帯域幅内に１０個以下のリソース・ブロックが存在するときにはｌＥＰＤＣＣＨｓｔａｒｔは、所与のサービング・セルのサブフレームにおいて該ＣＦＩ値＋１により与えられる。
【００４３】
所与のサービング・セルについて、より高位の層のシグナリングを介して送信モード１０に従うＰＤＳＣＨデータ送信を受信するようにＵＥが設定されているならば、各ＥＰＤＣＣＨ−ＰＲＢ−セットについて、サブフレームｋにおいてＥＰＤＣＣＨを監視するための先頭のＯＦＤＭシンボルは、より高位の層のパラメータｐｄｓｃｈ−Ｓｔａｒｔ−ｒ１１から次のように決定される：
−  もしパラメータｐｄｓｃｈ−Ｓｔａｒｔ−ｒ１１の値が１、２、３または４であるならばｌ’ＥＰＤＣＣＨｓｔａｒｔはそのパラメータにより与えられる。
−  そうでない場合、帯域幅内に１１個以上のリソース・ブロックが存在するときにはｌ’ＥＰＤＣＣＨｓｔａｒｔは所与のサービング・セルのサブフレームｋ内のＣＦＩ値により与えられ、帯域幅内に１０個以下のリソース・ブロックが存在するときにはｌ’ＥＰＤＣＣＨｓｔａｒｔは所与のサービング・セルのサブフレームｋ内のＣＦＩ値＋１により与えられる。
−  もしサブフレームｋがより高位の層のパラメータｍｂｓｆｎ−ＳｕｂｆｒａｍｅＣｏｎｆｉｇＬｉｓｔ−ｒ１１により示されるか、あるいはサブフレームｋがＴＤＤ動作のためのサブフレーム１または６であるならば、ｌＥＰＤＣＣＨｓｔａｒｔ＝ｍｉｎ（２、ｌ’ＥＰＤＣＣＨｓｔａｒｔ）である。
−  そうでなければ、ｌＥＰＤＣＣＨｓｔａｒｔ＝ｌ’ＥＰＤＣＣＨｓｔａｒｔである。
【００４４】
図５は、移動局デバイス２に対応する移動局デバイスのブロック図を示す。該図に示されているように、移動局デバイスはより高位の層の処理ユニット１０１、制御ユニット１０３、受信ユニット１０５、送信ユニット１０７、およびアンテナ・ユニット１０９を含む。より高位の層の処理ユニット１０１は、無線リソース管理ユニット１０１１、サブフレーム設定ユニット１０１３、スケジューリング・ユニット１０１５、およびＣＳＩレポート管理ユニット１０１７を含む。受信ユニット１０５は、復号ユニット１０５１、復調ユニット１０５３、多重分離ユニット１０５５、無線受信ユニット１０５７、およびチャネル推定ユニット１０５９を含む。送信ユニット１０７は、符号化ユニット１０７１、変調ユニット１０７３、多重化ユニット１０７５、無線送信ユニット１０７７、およびアップリンク基準信号発生生成１０７９を含む。
【００４５】
より高位の層の処理ユニット１０１は、受信ユニット１０５および送信ユニット１０７の動作を制御する制御信号を生成し、該信号を制御ユニット１０３に出力する。さらに、より高位の層の処理ユニット１０１は、ＭＡＣ層（Ｍｅｄｉｕｍ  Ａｃｃｅｓｓ  Ｃｏｎｔｒｏｌ（媒体アクセス制御））、ＰＤＣＰ層（Ｐａｃｋｅｔ  Ｄａｔａ  Ｃｏｎｖｅｒｇｅｎｃｅ  Ｐｒｏｔｏｃｏｌ（パケット・データ・コンバージェンス・プロトコル））、ＲＬＣ層（Ｒａｄｉｏ  Ｌｉｎｋ  Ｃｏｎｔｒｏｌ（無線リンク制御））、およびＲＲＣ層（Ｒａｄｉｏ  Ｒｅｓｏｕｒｃｅ  Ｃｏｎｔｒｏｌ（無線リソース制御））に関連する動作を処理する。
【００４６】
より高位の層の処理ユニット１０１内の無線リソース管理ユニット１０１１は、自分自身の動作に関連する設定を管理する。さらに、無線リソース管理ユニットは、各チャネルで送信されるデータを生成し、この情報を送信ユニット１０７に出力する。
【００４７】
より高位の層の処理ユニット１０１内のサブフレーム設定ユニット１０１３は、アップリンク基準信号設定、ダウンリンク基準信号設定、および送信方向設定を管理する。サブフレーム設定ユニット１０１３は、少なくとも２つのサブフレームのサブフレーム・セットを設定する。
【００４８】
より高位の層の処理ユニット１０１内のスケジューリング・ユニット１０１５は、受信ユニット１０５を介して受信されたＤＣＩメッセージに含まれるスケジューリング情報を読んで制御情報を制御ユニット１０３に出力し、該制御ユニットは、所要の動作を実行する受信ユニット１０５および送信ユニット１０７に制御情報を送信する。
【００４９】
さらに、スケジューリング・ユニット１０１５は、アップリンク基準設定、ダウンリンク基準設定および／または送信方向設定に基づいて送信処理および受信処理タイミングを決定する。
【００５０】
より高位の層の処理ユニット１０１内のＣＳＩレポート管理ユニット１０１７は、ＣＳＩ基準ＲＥを識別する。ＣＳＩレポート管理ユニット１０１７は、ＣＳＩ基準ＲＥからチャネルのＣＱＩ（Ｃｈａｎｎｅｌ  Ｑｕａｌｉｔｙ  Ｉｎｆｏｒｍａｔｉｏｎ（チャネル品質情報））を得るようにチャネル推定ユニット１０５９に要求する。ＣＳＩレポート管理ユニット１０１７は、該ＣＱＩを送信ユニット１０７に出力する。ＣＳＩレポート管理ユニット１０１７は、チャネル推定ユニット１０５９の設定をセットする。
【００５１】
制御ユニット１０３は、より高位の層の処理ユニット１０１から受信した制御情報に基づいて、受信ユニット１０５および送信ユニット１０７に宛てられる制御信号を生成する。制御ユニット１０３は、生成した制御信号を通して受信ユニット１０５および送信ユニット１０７の動作を制御する。
【００５２】
受信ユニット１０５は、制御ユニット１０３から受信した制御情報に従って、アンテナ・ユニット１０９を介して基地局デバイス１から情報を受信し、該情報に対して多重分離、復調および復号を行う。受信ユニット１０５は、これらの動作の結果をより高位の層の処理ユニット１０１に出力する。
【００５３】
無線受信ユニット１０５７は、アンテナ・ユニット１０９を介して基地局デバイス１から受信したダウンリンク情報をダウンコンバートし、不要な周波数成分を除去し、信号を十分なレベルに至らせるために増幅を行い、受信した信号の同相成分および直交成分に基づいて受信したアナログ信号をデジタル信号に変換する。無線受信ユニット１０５７は、該デジタル信号からガードインターバル（ｇｕａｒｄ  ｉｎｔｅｒｖａｌ（ＧＩ））をトリムし、周波数領域信号を抽出するためにＦＦＴ（Ｆａｓｔ  Ｆｏｕｒｉｅｒ  Ｔｒａｎｓｆｏｒｍ（高速フーリエ変換））を実行する。
【００５４】
多重分離ユニット１０５５は、抽出された周波数領域信号からＰＨＩＣＨ、ＰＤＣＣＨ、ｅＰＤＣＣＨ、ＰＤＳＣＨ、およびダウンリンク基準信号を多重分離する。さらに、多重分離ユニット１０５５は、チャネル推定ユニット１０５９から受信したチャネル推定値に基づいて、該ＰＨＩＣＨ、ＰＤＣＣＨ、ｅＰＤＣＣＨ、およびＰＤＳＣＨに対してチャネル補償を行う。多重分離ユニット１０５５は、多重分離したダウンリンク基準信号をチャネル推定ユニット１０５９に出力する。
【００５５】
復調ユニット１０５３は、ＰＨＩＣＨに対応する符号による掛算を実行し、その結果の信号に対してＢＰＳＫ（Ｂｉｎａｒｙ  Ｐｈａｓｅ  Ｓｈｉｆｔ  Ｋｅｙｉｎｇ（二相位相変調））復調を実行し、その結果を復号ユニット１０５１に出力する。復号ユニット１０５１は、移動局デバイス２に宛てられたＰＨＩＣＨを復号し、その復号したＨＡＲＱインジケータをより高位の層の処理ユニット１０１に送信する。復調ユニット１０５３は、ＰＤＣＣＨおよび／またはｅＰＤＣＣＨに対してＱＰＳＫ（Ｑｕａｄｒａｔｕｒｅ  Ｐｈａｓｅ  Ｓｈｉｆｔ  Ｋｅｙｉｎｇ（四相位相変調））復調を実行し、その結果を復号ユニット１０５１に出力する。復号ユニット１０５１は、ＰＤＣＣＨおよび／またはｅＰＤＣＣＨを復号しようと試みる。もしその復号動作が成功したならば、復号ユニット１０５１はダウンリンク制御情報および対応するＲＮＴＩをより高位の層の処理ユニット１０１に送信する。
【００５６】
復調ユニット１０５３は、ダウンリンク制御許可インジケーション（ＱＰＳＫ、１６ＱＡＭ（Ｑｕａｄｒａｔｕｒｅ  Ａｍｐｌｉｔｕｄｅ  Ｍｏｄｕｌａｔｉｏｎ（直交振幅変調））、６４ＱＡＭ、またはその他）により示されるように移動局デバイス２に宛てられたＰＤＳＣＨを復調し、その結果を復号ユニット１０５１に出力する。復号ユニット１０５１は、ダウンリンク制御許可インジケーションにより示されるように復号を実行し、復号したダウンリンク・データ（トランスポート・ブロック）をより高位の層の処理ユニット１０１に出力する。
【００５７】
チャネル推定ユニット１０５９は、多重分離ユニット１０５５から受信したダウンリンク基準信号からパスロスおよびチャネル状態を推定し、推定したパスロスおよびチャネル状態をより高位の層の処理ユニット１０１に出力する。さらに、チャネル推定ユニット１０５９は、ダウンリンク基準信号から推定されたチャネル値を多重分離ユニット１０５５に出力する。ＣＱＩを計算するために、チャネル推定ユニット１０５９はチャネルおよび／または干渉に対して測定を実行する。
【００５８】
送信ユニット１０７は、制御ユニット１０３から受信した制御情報に従って、アップリンク基準信号を生成し、より高位の層の処理ユニットから受信したアップリンク・データに対して符号化および変調を実行し（トランスポート・ブロック）、ＰＵＣＣＨ、ＰＵＳＣＨおよび生成したアップリンク基準信号を多重化し、それをアンテナ・ユニット１０９を通して基地局１に送信する。
【００５９】
符号化ユニット１０７１は、より高位の層の処理ユニット１０１から受信したアップリンク制御情報に対してブロック符号化、畳み込み符号化、またはその他を実行する。さらに、符号化ユニット１０７１は、スケジューリングされたＰＵＳＣＨデータに対してターボ符号化を実行する。
【００６０】
変調ユニット１０７３は、基地局デバイス１から受信したダウンリンク制御インジケーションまたは各チャネルのための所定変調規約に従って、符号化ユニット１０７１から受信した符号化されたビットストリームに対して変調（ＢＰＳＫ、ＱＰＳＫ、１６ＱＡＭ、６４ＱＡＭ、またはその他）を実行する。変調ユニット１０７３は、空間多重化を通して送信するＰＵＳＣＨストリームの数を決定し、アップリンク・データをその数の異なるストリームにマッピングし、それらのストリームに対してＭＩＭＯ  ＳＭ（Ｍｕｌｔｉｐｌｅ  Ｉｎｐｕｔ  Ｍｕｌｔｉｐｌｅ  Ｏｕｔｐｕｔ  Ｓｐａｔｉａｌ  Ｍｕｌｔｉｐｌｅｘｉｎｇ（多入力多出力空間多重化））プリコーディングを実行する。
【００６１】
アップリンク基準信号生成ユニット１０７９は、基地局デバイス１が、移動局デバイス２から送信された信号、アップリンク基準信号をその中に配置するところの帯域幅の値、アップリンク許可において示されている循環桁送り、およびＤＭＲＳシーケンス生成に関連するパラメータの値を識別できるように、ＰＣＩ（Ｐｈｙｓｉｃａｌ  Ｃｅｌｌ  Ｉｄｅｎｔｉｔｙ（物理セル・アイデンティティ）またはセルＩＤ）に応じて一連の所定規則に従ってビットストリームを生成する。多重化ユニット１０７５は、ＰＵＳＣＨ変調されたシンボルを種々のストリームに配置し、該シンボルに対して制御ユニット１０３により与えられたインジケーションに従ってＤＦＴ（Ｄｉｓｃｒｅｔｅ  Ｆｏｕｒｉｅｒ  Ｔｒａｎｓｆｏｒｍ（離散フーリエ変換））を実行する。さらに、多重化ユニット１０７５は、ＰＵＣＣＨ、ＰＵＳＣＨ、および生成された基準信号を、該ＰＵＣＣＨ、ＰＵＳＣＨ、および生成された基準信号に対応するＲＥにおいて該ＰＵＣＣＨ、ＰＵＳＣＨ、および生成された基準信号の適切なアンテナ・ポートで多重化する。
【００６２】
無線送信ユニット１０７７は、多重化された信号に対してＩＦＦＴ（Ｉｎｖｅｒｓｅ  Ｆａｓｔ  Ｆｏｕｒｉｅｒ  Ｔｒａｎｓｆｏｒｍ（逆高速フーリエ変換））を実行し、それらに対してＳＣ−ＦＤＭＡ変調（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（シングルキャリヤ周波数分割多重アクセス））を実行し、その結果としてのストリームに対してＧＩを加え、デジタル・ベースバンド信号を生成し、該デジタル・ベースバンド信号をアナログ・ベースバンド信号に変換し、該アナログ信号の同相成分および直交成分を生成し、それをアップコンバートし、不要な周波数成分を除去し、電力増幅を実行し、その結果としての信号をアンテナ・ユニット１０９に出力する。
【００６３】
図６は、基地局デバイス１に対応する基地局デバイスのブロック図を示す。該図に示されているように、該移動局デバイスは、より高位の層の処理ユニット３０１、制御ユニット３０３、受信ユニット３０５、送信ユニット３０７、およびアンテナ・ユニット３０９を含む。より高位の層の処理ユニット３０１は、無線リソース管理ユニット３０１１、サブフレーム設定ユニット３０１３、スケジューリング・ユニット３０１５、およびＣＳＩレポート管理ユニット３０１７を含む。受信ユニット３０５は、復号ユニット３０５１、復調ユニット３０５３、多重分離ユニット３０５５、無線受信ユニット３０５７、およびチャネル推定ユニット３０５９を含む。送信ユニット３０７は、符号化ユニット３０７１、変調ユニット３０７３、多重化ユニット３０７５、無線送信ユニット３０７７、およびダウンリンク基準信号発生生成３０７９を含む。
【００６４】
より高位の層の処理ユニット３０１は、受信ユニット３０５および送信ユニット３０７の動作を制御するための制御信号を生成し、該制御信号を制御ユニット３０３に出力する。さらに、より高位の層の処理ユニット３０１は、ＭＡＣ層（媒体アクセス制御）、ＰＤＣＰ層（パケット・データ・コンバージェンス・プロトコル）、ＲＬＣ層（無線リンク制御）、およびＲＲＣ層（無線リソース制御）と関連する動作を処理する。
【００６５】
より高位の層の処理ユニット３０１内の無線リソース管理ユニット３０１１は、ダウンリンクＰＤＳＣＨで送信するダウンリンク・データ（トランスポート・ブロック）、システム情報、ＲＲＣメッセージ、およびＭＡＣ  ＣＥ（Ｃｏｎｔｒｏｌ  Ｅｌｅｍｅｎｔ（制御エレメント））を生成し、それを送信ユニット３０７に出力する。あるいは、この情報はより高位の層から入手され得る。さらに、無線リソース管理ユニット３０１１は、各移動局デバイスの設定情報を管理する。
【００６６】
より高位の層の処理ユニット３０１内のサブフレーム設定ユニット３０１３は、アップリンク基準信号設定、ダウンリンク基準信号設定、および各移動局デバイスの送信方向設定を管理する。
【００６７】
サブフレーム設定ユニット３０１３は、第１パラメータ“アップリンク基準信号設定”、第２パラメータ“ダウンリンク基準信号設定”、および第３パラメータ“送信方向設定”を生成する。サブフレーム設定ユニット３０１３は、送信ユニット３０７を介して該３つのパラメータを移動局デバイス２に送信する。
【００６８】
基地局デバイス１は、アップリンク基準信号設定、ダウンリンク基準信号設定、および／または送信方向設定を決定することができる。あるいは、これらのパラメータのいずれもがより高位の層によって設定されてもよい。
【００６９】
例えば、サブフレーム設定ユニット３０１３は、アップリンク基準信号設定、ダウンリンク基準信号設定、および／または送信方向設定をアップリンクまたはダウンリンクのトラフィック状態に基づいて決定することができる。
【００７０】
サブフレーム設定ユニット３０１３は、少なくとも２つのサブフレームのセットを管理する。サブフレーム設定ユニット３０１３は、各移動局デバイスのために少なくとも２つのサブフレームのセットを管理することができる。サブフレーム設定ユニット３０１３は、各サービング・セルのために少なくとも２つのサブフレームのセットを管理することができる。サブフレーム設定ユニット３０１３は、各ＣＳＩプロセスのために少なくとも２つのサブフレームのセットを管理することができる。
【００７１】
サブフレーム設定ユニット３０１３は、少なくとも２つのサブフレームのセットに対応する設定情報を、送信ユニット３０７を通して移動局デバイス２に送信する。
【００７２】
より高位の層の処理ユニット３０１内のスケジューリング・ユニット３０１５は、物理チャネル（ＰＤＳＣＨおよびＰＵＳＣＨ）の周波数およびサブフレーム割り当て、ならびに該物理チャネルの適切な符号化レート、変調および送信電力を、移動局２から受信したチャネル状態レポートならびにチャネル推定ユニット３０５９から受信したチャネル推定およびチャネル品質パラメータに従って、決定する。スケジューリング・ユニット３０１５は、フレキシブルなサブフレームがダウンリンク物理チャネルおよび／またはダウンリンク物理信号スケジューリングのために使用されるのか、あるいはアップリンク物理チャネルおよび／またはアップリンク物理信号スケジューリングのために使用されるのかを決定する。スケジューリング・ユニット３０１５は、結果としてのスケジューリングに基づいて受信ユニット３０５および送信ユニット３０７を制御するための制御信号（例えば、ＤＣＩフォーマット（Ｄｏｗｎｌｉｎｋ  Ｃｏｎｔｒｏｌ  Ｉｎｆｏｒｍａｔｉｏｎ（ダウンリンク制御情報））を有する）を生成し、該制御信号を制御ユニット３０３に出力する。
【００７３】
スケジューリング・ユニット３０１５は、結果としてのスケジューリングに基づいて物理チャネル（ＰＤＳＣＨおよびＰＵＳＣＨ）のためのスケジューリング情報を伝えるレポートを生成する。さらに、スケジューリング・ユニット３０１５は、アップリンク基準信号設定、ダウンリンク基準信号設定、および／または送信方向設定に基づいて受信および送信タイミングを決定する。
【００７４】
より高位の層の処理３０１内のＣＳＩレポート管理ユニット３０１７は、移動局デバイス１のＣＳＩレポートを制御する。ＣＳＩレポート管理ユニット３０１７は、移動局デバイス２に、ＣＳＩ基準信号ＲＥからＣＱＩを引き出すための設定情報を、アンテナ・ユニット３０９を介して送信する。
【００７５】
制御ユニット３０３は、より高位の層の処理ユニット３０１から受信した制御信号に従って受信ユニット３０５および送信ユニット３０７を管理するための制御信号を生成する。制御ユニット３０３は、これらの信号を受信ユニット３０５および送信ユニット３０７に出力してこれらのユニットの動作を制御する。
【００７６】
受信ユニット３０５は、制御ユニット３０３から受信した制御情報に従って、アンテナ・ユニット３０９を介して移動局デバイス２から情報を受信し、該情報に対して多重分離、復調および復号を実行する。受信ユニット３０５は、これらの動作の結果をより高位の層の処理ユニット３１０１に出力する。
【００７７】
無線受信ユニット３０５７は、アンテナ・ユニット３０９を介して移動局デバイス２から受信したダウンリンク情報をダウンコンバートし、不要な周波数成分を除去し、該信号を十分なレベルに至らせるために増幅を行い、受信した信号の同相成分および直交成分に基づいて、受信したアナログ信号をデジタル信号に変換する。無線受信ユニット３０５７は、該デジタル信号からガードインターバル（ｇｕａｒｄ  ｉｎｔｅｒｖａｌ（ＧＩ））をトリムし、周波数領域信号を抽出するためにＦＦＴ（Ｆａｓｔ  Ｆｏｕｒｉｅｒ  Ｔｒａｎｓｆｏｒｍ（高速フーリエ変換））を実行する。
【００７８】
多重分離ユニット３０５５は、無線受信ユニット３０５７から受信した信号のＰＵＣＣＨ、ＰＵＳＣＨおよび基準信号を多重分離する。この多重分離は、移動局２に送信されたアップリンク許可および無線リソース割り当て情報に従って行われる。さらに、多重分離ユニット３０５５は、チャネル推定ユニット３０５９から受信したチャネル推定値に従ってＰＵＣＣＨおよびＰＵＳＣＨのチャネル補償を実行する。さらに、多重分離ユニット３０５５は、多重分離したアップリンク基準信号をチャネル推定ユニット３０５９に与える。
【００７９】
復調ユニット３０５３は、ＰＵＳＣＨに対してＩＤＦＴ（Ｉｎｖｅｒｓｅ  Ｄｉｓｃｒｅｔｅ  Ｆｏｕｒｉｅｒ  Ｔｒａｎｓｆｏｒｍ（逆離散フーリエ変換））を実行し、変調されているシンボルを得、アップリンク許可通知で移動局２に送信された変調設定に従って、または他の所定設定に従って、各ＰＵＣＣＨおよびＰＵＳＣＨシンボルのために復調（ＢＰＳＫ、ＱＰＳＫ、１６ＱＡＭ、６４ＱＡＭ、またはその他）を実行する。復調ユニット３０５３は、ＰＵＳＣＨで受信したシンボルを、アップリンク許可通知で移動局２に送信されたＭＩＭＯ  ＳＭプリコーディング設定に従って、または他の所定設定に従って、分離する。
【００８０】
復号ユニット３０５１は、ＰＵＳＣＣＨおよびＰＵＳＣＨ内の受信されたアップリンク・データを、アップリンク許可通知で移動局２に送信された符号化レート設定に従って、または他の所定設定に従って、復号し、その結果としてのストリームをより高位の層の処理ユニット３０１に出力する。再送されるＰＵＳＣＨの場合、復号ユニット３０５１は、受信した復調済みビットを、より高位の処理ユニット３０１内のＨＡＲＱバッファに保持されている符号化済みビットを用いて、復号する。チャネル推定ユニット３０５９は、多重分離ユニット３０５５から受信したアップリンク基準信号を用いてチャネル状態およびチャネル品質を推定し、この情報を多重分離ユニット３０５５およびより高位の層の処理ユニット３０１に出力する。
【００８１】
送信ユニット３０７は、制御ユニット３０３から受信した制御情報に従って、ダウンリンク基準信号を生成し、より高位の層の処理ユニット３０１から受信したＨＡＲＱインジケータを含むダウンリンク制御情報を準備し、ダウンリンク・データの符号化および変調を実行し、結果をＰＨＩＣＨ、ＰＤＣＣＨ、ｅＰＤＣＣＨ、ＰＤＳＣＨおよびダウンリンク基準信号と多重化し、その結果としての信号を、アンテナ・ユニット３０９を介して移動局デバイス２に送信する。
【００８２】
符号化ユニット３０７１は、より高位の層の処理３０１から受信したＨＡＲＱインジケータ、ダウンリンク制御情報およびダウンリンク・データに対して、無線リソース管理ユニット３０１１により決定された符号化設定に従ってまたは他の所定設定に従って、ブロック符号化、畳み込み符号化、ターボ符号化、またはその他を実行する。変調ユニット３０７３は、符号化ユニット３０７１から受信した符号化済みビットストリームに対して、無線リソース管理ユニット３０１１により決定された変調設定に従ってまたは他の所定設定に従って、変調（ＢＰＳＫ、ＱＰＳＫ、１６ＱＡＭ、６４ＱＡＭ、またはその他）を実行する。
【００８３】
ダウンリンク基準信号生成ユニット３０７９は、或る所定規則に従って、移動局デバイス２が基地局デバイス１の送信を識別することを可能にするＰＣＩ（物理セル・アイデンティティ）値を採用して、移動局デバイス２に良く知られるダウンリンク基準信号を生成する。多重化ユニット３０７５は、各チャネル内の変調済みシンボルおよび生成されたダウンリンク基準信号を該シンボルおよびダウンリンク基準信号に対応するＲＥにおいて該シンボルおよびダウンリンク基準信号の適切なアンテナ・ポートで多重化する。
【００８４】
無線送信ユニット３０７７は、多重化済みシンボルに対するＩＦＦＴ（逆高速フーリエ変換）、ＯＦＤＭ変調を実行し、ＯＦＤＭシンボルにガードインターバルを加え、デジタル・ベースバンド信号を生成し、デジタル・ベースバンド信号をアナログ・ベースバンド信号に変換し、アナログ信号の同相成分および直交成分を生成してそれをアップコンバートし、不要な周波数成分を除去し、電力増幅を実行し、その結果としての信号をアンテナ・ユニット３０９に出力する。
【００８５】
制御または情報データの送信のために利用できるリソースの数は、各リソース・ブロック内に存在する基準信号に依存する。基地局デバイスは、適切なリソース・エレメント・マッピングにより、これらのＲＥにおけるデータの送信を避けるように設定される。
【００８６】
移動局デバイスは、任意の所与時点でデータを取り出すために使用されるリソース・エレメント・マッピングを想定する。データは、関連するアンテナ・ポート上でＲＥに対して順にマッピングされ、該ＲＥは、該ＲＥがＥＰＤＣＣＨ送信のために割り当てられたＥＲＥＧの一部であること、該ＲＥがＣＲＳまたはＣＳＩ−ＲＳに使用されるべきでないとＵＥにより想定されること、および該ＲＥがｌＥＰＤＣＣＨｓｔａｒｔにより示される先頭のＯＦＤＭシンボルに等しいかまたはより高いＯＦＤＭシンボル内に位置することを満たす。
【００８７】
ＰＤＣＣＨ領域においてＣＣＥは、情報を送信するために利用できるＲＥを常に４個有すると定義される。このことを行うために、ＣＣＥ設定は、存在するＣＲＳの数またはＰＨＩＣＨのリーチにより幾つかのバリエーションを与える。結果は、ＰＤＣＣＨメッセージが常に同数のビットを有するということである。
【００８８】
しかし、ｅＰＤＣＣＨ／ＰＤＳＣＨ領域ではビットの数は可変である。利用できるＲＥをすべて使用できるためには、基地局モバイルは、自分たちへのデータを考慮に入れなければならない。このことは、レート・マッチングにより成し遂げられる。
【００８９】
レート・マッチング動作は、ターボ符号操作の符号レートを変えることによって所要サイズのビットのストリームを生成する。レート・マッチング・アルゴリズムは、任意のレートを生じさせることができる。ターボ・エンコーダからのビットストリームは、インターリーブ操作を受け、次に環状バッファを作るためにビット・コレクションが行われる。望ましい符号レートで単一のビットストリームを作るために該バッファからビットが選択されプルーニングされる。
【００９０】
図７は、時分割複信モード（Ｔｉｍｅ  Ｄｉｖｉｓｉｏｎ  Ｄｕｐｌｅｘ  ｍｏｄｅ（ＴＤＤ））におけるＬＴＥ無線フレームの構成を示す。
【００９１】
ＬＴＥ無線フレームは、１０ｍｓの長さを有し、１０個のサブフレームから構成される。
【００９２】
各サブフレームは、ｅＮＢにより設定されたとおりにダウンリンクまたはアップリンク通信に使用され得る。ダウンリンク送信からアップリンク送信への切り替えは、スイッチ−ポイントとして作用する特別サブフレームを通して行われる。設定に応じて、無線フレームは、１つの特別サブフレーム（１０ｍｓのスイッチ−ポイント周期性）または２つの特別サブフレーム（５ｍｓのスイッチ−ポイント周期性）を持つことができる。
【００９３】
たいていの場合に、サブフレーム＃１および＃７は“特別サブフレーム”であって、３つのフィールドＤｗＰＴＳ（Ｄｏｗｎｌｉｎｋ  Ｐｉｌｏｔ  Ｔｉｍｅ  Ｓｌｏｔ（ダウンリンク・パイロット・タイム・スロット））、ＧＰ（Ｇｕａｒｄ  Ｐｅｒｉｏｄ（ガード期間））およびＵｐＰＴＳ（Ｕｐｌｉｎｋ  Ｐｉｌｏｔ  Ｔｉｍｅ  Ｓｌｏｔ（アップリンク・パイロット・タイム・スロット））を含む。ＤｗＰＴＳは、複数のＯＦＤＭシンボルにわたり、ダウンリンク送信に専用される。ＧＰは、複数のＯＦＤＭシンボルにわたり、空である。ＧＰは、ダウンリンクおよびアップリンクの間の遷移を滑らかにするためにシステム状態に応じてより長いかあるいはより短い。ＵｐＰＴＳは、複数のＯＦＤＭシンボルにわたり、アップリンク送信に専用される。ＤｗＰＴＳは、主同期信号（Ｐｒｉｍａｒｙ  Ｓｙｎｃｈｒｏｎｉｚａｔｉｏｎ  Ｓｉｇｎａｌ（ＰＳＳ））を伝える。サブフレーム＃０および＃５は、二次同期信号（Ｓｅｃｏｎｄａｒｙ  Ｓｙｎｃｈｒｏｎｉｚａｔｉｏｎ  Ｓｉｇｎａｌ（ＳＳＳ））を伝え、従ってアップリンク送信のために設定されることはできない。サブフレーム＃２は、常にアップリンク送信のために設定される。
【００９４】
図８は、あり得るアップリンク−ダウンリンク設定をリストしたものであり、ここで“Ｕ”は該サブフレームがアップリンク送信のために確保されていることを示し、“Ｄ”は該サブフレームがダウンリンク送信のために確保されていることを示し、“Ｓ”は特別サブフレームを示す。基地局デバイスは、使用されるべきアップリンク−ダウンリンク設定のインデックスを移動局デバイスに送信する。
【００９５】
基地局デバイスは、第２アップリンク−ダウンリンク設定インデックスを送信することができる。両方のアップリンク−ダウンリンクが同じ設定を有するサブフレームは、上記のように処理される（該サブフレームは、本明細書の残りの部分においてぼんやりとレガシー・サブフレームと称される）。両方のアップリンク−ダウンリンク設定が異なるサブフレームはフレキシブルなサブフレームであり、該サブフレームはアップリンクまたはダウンリンクのために使用され得るサブフレームである。例えば、アップリンク−ダウンリンク設定１はＵとして設定され、アップリンク−ダウンリンク設定２はＤまたはＳとして設定される。
【００９６】
図９は、基地局デバイスがフレキシブルなサブフレームに関係するアップリンク−ダウンリンク設定を示すことができる方法例を示す。
【００９７】
この例では、基地局デバイスは２つのアップリンク−ダウンリンク設定インデックスを送信する。第１のものは設定＃０に対応し、ここでは最多数のアップリンク・サブフレームが定義されている。第２の設定は、フレキシブルなサブフレームを示すために基地局デバイスにより選択される。第１設定ではアップリンクとして設定され第２設定ではダウンリンクとして設定されているサブフレームはフレキシブルなサブフレームである。
【００９８】
本例では、第２インデックスは設定＃２に対応し、ここでは設定＃１においてアップリンクとして示されている４個のサブフレームはダウンリンクとして示されており、従って該サブフレームはフレキシブルなサブフレームである（より正確には、サブフレーム＃３、＃４、＃８、および＃９）。
【００９９】
レガシー移動局デバイスは、フレキシブルなサブフレームをアップリンクのために設定されていると見なす。レガシー移動局デバイスは、ＰＤＣＣＨが送信されると予期しておらず、ＵＳＳまたはＣＳＳを監視しない。基地局デバイスは、これらのサブフレームにおいてレガシー互換性を維持しなくてもよい。基地局デバイスは、ＣＲＳを完全に除去してＯＦＤＭシンボル＃０において送信を開始することができ、互換性のある移動局デバイスのためのデータ・スループットを増大させる。
【０１００】
フレキシブルなサブフレームの実際の方向（アップリンクまたはダウンリンク）は、暗黙に与えられる。フレキシブルなサブフレームと両立する移動局デバイスは、もしアップリンク・スケジューリング許可がそのサブフレームで自分に対して与えられていなければ、該方向はダウンリンクであると想定する。そうでなければ、移動局デバイスは、そのサブフレームのｅＰＤＣＣＨを監視する。移動局デバイスは、もしそのサブフレームにおいてアップリンク・スケジューリング許可を有するならば、ダウンリンクｅＰＤＣＣＨを想定せずにアップリンク・データ送信を進める。
【０１０１】
ダウンリンク送信のために設定されている他のフレキシブルなサブフレームの直後にあるフレキシブルなサブフレームは、アップリンクとして設定されない。ダウンリンクからアップリンクへ切り替わるためにはガード期間が必要であり、そのガード期間は特別サブフレームにおいて定義されるだけである。
【０１０２】
２つのアンテナ・ポートは、一方のアンテナ・ポート上のシンボルを伝えるチャネルの大スケール特性が他方のアンテナ・ポート上のシンボルを伝えるチャネルから推定され得るならば、準コロケートされていると言われる。該大スケール特性は、遅延スプレッド、ドップラー・スプレッド、ドップラー・シフト、平均利得、および平均遅延のうちの１つ以上を含む。移動局デバイスは、基地局デバイスによって別様に明示されていなければ、２つのアンテナ・ポートが準コロケートされていると想定しない。
【０１０３】
サービング・セルのために送信モード１０で設定されている移動局デバイスは、ＰＤＳＣＨまたはｅＰＤＣＣＨを復号するためにより高位の層のパラメータｑｃｌ−Ｏｐｅｒａｔｉｏｎによって該サービング・セルのために２つの準コロケーション・タイプのうちの１つを用いて設定される。
−  タイプＡ：  移動局デバイスは、サービング・セルのアンテナ・ポート０〜３（ＣＲＳに対応する）、７〜２２（ＵＥ特有ＲＳおよびＣＳＩ−ＲＳ）、および１０７〜１１０（ｅＰＤＣＣＨと関連するＤＭ−ＲＳに対応する）が遅延スプレッド、ドップラー・スプレッド、ドップラー・シフトおよび平均遅延に関して準コロケートされていると想定することができる。
−  タイプＢ：  移動局デバイスは、アンテナ・ポート１５〜２２（より高位の層のパラメータｑｃｌ−ＣＳＩ−ＲＳ−ＣｏｎｆｉｇＮＺＰＩｄ−ｒ１１により識別されるＣＳＩ−ＲＳリソース設定に対応する）、アンテナ・ポート７〜１４（ＵＥ特有ＲＳ）、およびアンテナ・ポート１０７〜１１０（ｅＰＤＣＣＨと関連するＤＭ−ＲＳに対応する）が遅延スプレッド、ドップラー・スプレッド、ドップラー・シフト、および平均遅延に関して準コロケートされていると想定することができる。
【０１０４】
所与のサービング・セルのために送信モード１０に設定されている移動局は、ＰＤＳＣＨまたはｅＰＤＣＣＨを復号するために基地局デバイスによって最大４個のパラメータ・セットを用いて設定され得る。該移動局デバイスは、ＰＤＳＣＨ／ｅＰＤＣＣＨ  ＲＥマッピングを決定するとともに、もし該移動局がタイプＢ準コロケーション・タイプを用いて設定されているならばアンテナ・ポート準コロケーションを決定するために、“ＰＤＳＣＨ  ＲＥマッピングおよび準コロケーション・インジケータ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ）”フィールド（ＰＱＩ）の値に従うパラメータ・セットを使用する。ＰＱＩは、該４個の設定可能なパラメータ・セットのためのインデックスとして作用する。
【０１０５】
ＰＱＩにより参照されるパラメータ・セットは、ｃｒｓ−ＰｏｒｔｓＣｏｕｎｔ−ｒ１１（アンテナ・ポートの数）、ｃｒｓ−ＦｒｅｑＳｈｉｆｔ−ｒ１１（ＣＲＳの周波数シフト）、ｍｂｓｆｎ−ＳｕｂｆｒａｍｅＣｏｎｆｉｇＬｉｓｔ−ｒ１１（ダウンリンクにおいてＭＢＳＦＮのために確保されるサブフレームの定義）、ｃｓｉ−ＲＳ−ＣｏｎｆｉｇＺＰＩｄ−ｒ１１（該移動局デバイスがそれについてゼロ送信電力を想定するところのＣＳＩ−ＲＳリソース設定のＩＤ）、ｐｄｓｃｈ−Ｓｔａｒｔ−ｒ１１（先頭のＯＦＤＭシンボル）およびｑｃｌ−ＣＳＩ−ＲＳ−ＣｏｎｆｉｇＮＺＰＩｄ−ｒ１１（ＰＤＳＣＨ／ｅＰＤＣＣＨアンテナ・ポートと準コロケートされているＣＳＩ−ＲＳリソース）を含む。
【０１０６】
典型的なネットワークにおいては、複数の基地局デバイスのカバレージは或るエリアで重なり合う。システムは、移動局デバイスが基地局デバイスから受信する前に該基地局デバイスへのハンドオーバを実行することを必要とせずに、移動局デバイスがこれらの基地局デバイスのうちのどれによってもトランスペアレントな仕方でサービスされることを可能にする。サービング・セル内の基地局デバイスは、重なり合っている基地局デバイスの状態に合う準コロケーション・パラメータ・セットを、ＲＲＣメッセージを通して設定する。重なり合っている基地局デバイスは、移動局デバイスが正しいＰＱＩパラメータ・セットに切り替わるならば、サービスの中断無しに該移動局デバイスに送信することができる。
【０１０７】
ＰＲＢペアのＰＤＣＣＨ領域は、最初の１、２、３または４個のＯＦＤＭシンボルにわたる。残りのＯＦＤＭシンボルはデータ領域として使用される（ＰＤＳＣＨ、Ｐｈｙｓｉｃａｌ  Ｄｏｗｎｌｉｎｋ  Ｓｈａｒｅｄ  ｃｈａｎｎｅｌ（物理ダウンリンク・シェアド・チャネル））。ＰＤＣＣＨは、ＣＲＳとともに、アンテナ・ポート０〜３で送信される。
【０１０８】
ＣＲＳは、ＰＤＣＣＨ領域およびデータ領域の長さとは無関係のパターンに従ってＰＲＢを横断してＲＥに割り当てられる。ＰＲＢ内のＣＲＳの数は、送信のために設定されるアンテナの数に依存する。
【０１０９】
物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（ＰＣＦＩＣＨ））は、第１のＯＦＤＭシンボルにおいてＣＲＳに割り当てられていないＲＥに割り当てられる。ＰＣＦＩＣＨは４個のリソース・エレメント・グループ（Ｒｅｓｏｕｒｃｅ  Ｅｌｅｍｅｎｔ  Ｇｒｏｕｐ（ＲＥＧ））から構成され、各ＲＥＧは４個のＲＥから構成される。ＰＣＦＩＣＨは、物理ダウンリンク制御チャネル（ＰＤＣＣＨ）の長さに対応する、１から３まで（または、帯域幅に応じて２から４まで）の値を含む。
【０１１０】
物理ハイブリッド−ＡＲＱインジケータ・チャネル（Ｐｈｙｓｉｃａｌ  Ｈｙｂｒｉｄ−ＡＲＱ  Ｉｎｄｉｃａｔｏｒ  Ｃｈａｎｎｅｌ、ＰＨＩＣＨ。ここでＡＲＱはＡｕｔｏｍａｔｉｃ  Ｒｅｐｅａｔ−ｒｅＱｕｅｓｔ（自動再送要求）を表す）は、第１シンボルにおいてＣＲＳまたはＰＣＦＩＣＨに割り当てられていないＲＥに割り当てられる。ＰＨＩＣＨは、アップリンク送信のためにＨＡＲＱ  ＡＣＫ／ＮＡＣＫ信号を送信する。ＰＨＩＣＨは、１個のＲＥＧから構成され、セル特有の仕方でスクランブルされる。複数のＰＨＩＣＨは、同じＲＥにおいて多重化されることができ、ＰＨＩＣＨグループを形成する。ＰＨＩＣＨグループは、周波数および／または時間領域においてダイバーシティ利得を得るために３回繰り返される。
【０１１１】
ＰＤＣＣＨは、最初の’ｎ’個のＯＦＤＭシンボルに割り当てられる（ここで’ｎ’はＰＣＦＩＣＨで示される）。ＰＤＣＣＨはダウンリンク制御情報（Ｄｏｗｎｌｉｎｋ  Ｃｏｎｔｒｏｌ  Ｉｎｆｏｒｍａｔｉｏｎ（ＤＣＩ））メッセージを含み、該メッセージはダウンリンクおよびアップリンク・スケジューリング情報、ダウンリンクＡＣＫ／ＮＡＣＫ、電力制御情報、などを含むことができる。ＤＣＩは、複数の制御チャネル・エレメント（Ｃｏｎｔｒｏｌ  Ｃｈａｎｎｅｌ  Ｅｌｅｍｅｎｔ（ＣＣＥ））によって伝えられる。ＣＣＥは、ＣＲＳ、ＰＣＦＩＣＨ、またはＰＨＩＣＨによって占有されない同じＯＦＤＭシンボル内の４個の連続するＲＥから構成される。
【０１１２】
ＣＣＥは、第１に周波数について第２に時間について０から昇順に番号づけられる。最初に、第１のＯＦＤＭシンボル内の最低周波数ＲＥが考慮される。もしそのＲＥが他のＣＣＥ、ＣＲＳ、ＰＨＩＣＨ、またはＰＣＦＩＣＨによって占有されていなければ、このＲＥは番号づけられる。そうでなければ、次のＯＦＤＭシンボルに対応する同じＲＥが評価される。全てのＯＦＤＭシンボルが考慮されたならば、このプロセスは全てのＲＥについて周波数順に繰り返される。
【０１１３】
データ領域において基準信号により占有されていないＲＥは、ｅＰＤＣＣＨまたは物理ダウンリンク・シェアド・カネル（Ｐｈｙｓｉｃａｌ  Ｄｏｗｎｌｉｎｋ  Ｓｈａｒｅｄ  Ｃａｎｎｅｌ（ＰＤＳＣＨ））に割り当てられることができる。
【０１１４】
ＵＥはＰＤＣＣＨ候補のセットを監視し、ここで監視は、該セット内のＰＤＣＣＨの各々を全ての監視されるＤＣＩフォーマットに従って復号しようと試みることを暗に意味する。監視するべきＰＤＣＣＨ候補のセットはサーチスペース（Ｓｅａｒｃｈ  Ｓｐａｃｅ（ＳＳ））という用語で定義され、ここで所与の連結レベルＬのサーチスペースＳＫ（Ｌ）はＰＤＣＣＨ候補のセットにより定義される。
【０１１５】
各ＵＥは２つのサーチスペース、ＵＥ特有サーチスペース（ＵＥ−ｓｐｅｃｉｆｉｃ  Ｓｅａｒｃｈ  Ｓｐａｃｅ（ＵＳＳ））および共通サーチスペース（ＣＳＳ）、を監視する。ＵＳＳはもっぱら該ＵＥに向けられている情報を伝え、従ってその関連するＵＥだけが該ＵＳＳを復号することができる。ＵＳＳはそれぞれのＵＥについて異なる。２つ以上の移動局デバイスのＵＳＳは、部分的に重なり合うことができる。ＣＳＳは、全てのＵＥに向けられている一般情報を含む。全てのＵＥが、同じ共通サーチスペースを監視し、該共通サーチスペース内の情報を復号することができる。
【０１１６】
サーチスペースは、セルＩＤ、メッセージおよび／または移動局デバイスもしくは移動局デバイスのグループのタイプと関連するＲＮＴＩ、無線フレーム内のスロット数、および／または帯域幅などの或るパラメータに依存して暗黙に定義され得る。例えば、各連結レベルのために考慮されるＵＳＳ  ＥＣＣＥがそれに従って基地局デバイスおよび移動局デバイスにより識別されるところのセルＩＤおよび移動局ＩＤに基づいて数学的演算が定義され得る。ＣＳＳは、移動局ＩＤが考慮されない同じ方程式または類似の方程式を用いて得られ得る（例えば、移動局ＩＤを値ゼロでオーバーライドする）。
【０１１７】
あるいは、ＵＳＳおよび／またはＣＳＳは固定されてもよい。各連結レベルについて定義されるサーチスペースは良く知られており、全ての移動局デバイスが該サーチスペースを監視する。
【０１１８】
あるいは、ＵＳＳおよび／またはＣＳＳは基地局デバイスによって明示され得る。各移動局デバイスは、ＭＩＢ、ＳＩＢ、ＲＲＣ、またはこれらの組み合わせを通してこの情報を受信する。
【０１１９】
共通サーチスペースは、全ての移動局デバイスについてあるいは移動局デバイスのグループについて（ＵＥ−グループ化）同じである。移動局デバイスのグループは、例えばそれらの移動局デバイスに特定のＲＮＴＩをセットすることによって（ＵＥ−グループＲＮＴＩ）ＵＥ−グループ化と定義され得る。グループに属する移動局デバイスは、このＲＮＴＩと共に送信されたメッセージを得るべくＣＳＳおよび／またはｅＣＳＳを監視する。
【０１２０】
図１０は、移動局デバイスがＵＳＳおよびＣＳＳにおいて各連結レベルについて監視する値を含む。連結レベルは、ＰＤＣＣＨが使用するＣＣＥの数である。移動局デバイスは、各連結レベルについてＰＤＣＣＨ候補の数Ｍ（Ｌ）を監視する。共通サーチスペースについてＬは２つの値、Ｌ＝４またはＬ＝８、のうちの１つを取ることができる。ＵＥが監視する候補の数は、Ｌ＝４についてはＭ（Ｌ）＝４であり、Ｌ＝８についてはＭ（Ｌ）＝２である。これらの場合の各々のサーチスペースのサイズは１６ＣＣＥである。
【０１２１】
拡張ＰＤＣＣＨ（ｅＰＤＣＣＨ）の基本単位は拡張リソース・エレメント・グループ（Ｅｎｈａｎｃｅｄ  Ｒｅｓｏｕｒｃｅ  Ｅｌｅｍｅｎｔ  Ｇｒｏｕｐ（ＥＲＥＧ））である。ＰＲＢペアのＲＥは、ＤＭＲＳ（ＤｅＭｏｄｕｌａｔｉｏｎ  Ｒｅｆｅｒｅｎｃｅ  Ｓｉｇｎａｌ（復調基準信号））を含んでいるかも知れないＲＥをスキップして周波数およびＯＦＤＭシンボルの昇順に０から１５まで循環的に番号づけられる。ＰＤＳＣＨに適用される同じ送信処理がＤＭＲＳに適用され、このことは、ＵＥがデータを復調できるために必要とする情報をＵＥが得ることを可能にする。ＥＲＥＧｉは番号’ｉ’を有する全てのＲＥから構成され、ここでｉ＝０、１、・・・１５である。
【０１２２】
しかし、使用され得るＲＥの数は固定されていない。ＰＤＣＣＨ、ＣＲＳおよびＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ（チャネル状態情報基準信号））のために使用されるＲＥは、ｅＰＤＣＣＨのためには使用され得ない。ＣＳＩ−ＲＳは、ＵＥが最大８個のアンテナのチャネル状態を測定できるようにするために周期的に送信され、ＣＳＩ−ＲＳは特別サブフレーム設定のためには定義されていない。
【０１２３】
制御情報は拡張ＣＣＥ（ＥＣＣＥ）で送信され、ＥＣＣＥは、所与の設定について各ＥＣＣＥでの送信のために利用し得るＲＥの数に依存して、４個または８個のＥＲＥＧから構成される。
【０１２４】
１セットまたは２セットのｅＰＤＣＣＨ−セットが同時に存在することができ、各々のｅＰＤＣＣＨ−セットは独立に設定可能であって１、２、４または８個のＰＲＢペアにわたる。ｅＰＤＣＣＨは、ＤＭ−ＲＳと共にアンテナ・ポート１０７〜１１０で送信される。
【０１２５】
図１１は、ｅＰＤＣＣＨ−セットｉのＰＲＢ−ペアにおけるｅＰＤＣＣＨのＥＣＣＥのマッピングを示す（ここでｉ＝０、１、２、など）。各ＰＲＢ−ペアは１６個のＥＲＥＧから構成される。全てのＰＲＢ−ペアのＥＲＥＧは全体としてｅＰＤＣＣＨ−セットのＥＲＥＧであると見なされ得る。ＰＲＢペアは１６個のＥＲＥＧを含み、該１６個のＥＲＥＧは４個または２個のＥＣＣＥを構成することができる。図の例では１つのＥＣＣＥは４個のＥＲＥＧから構成されると想定されている。
【０１２６】
ローカライズド割り当てでは、ｅＰＤＣＣＨの各ＥＣＣＥは、単一のＰＲＢペアに属するＥＲＥＧから構成される。全てのＲＥＧが比較的に狭い帯域内にあるので、プリコーディングおよびスケジューリングを通してより高い利益を得ることができる。
【０１２７】
分散割り当てでは、ｅＰＤＣＣＨの各ＥＣＣＥは、異なるＰＲＢペアに属するＥＲＥＧから構成される。ＲＥＧに対して周波数ホッピングが行われるので、周波数ダイバーシティを通してロバストネスが高められる。
【０１２８】
制御情報のローカライズド割り当てまたは分散割り当てを考慮して、ｅＰＤＣＣＨセット０はｅＰＤＣＣＨセット１（もし存在するならば）に影響を与えない。ｅＰＤＣＣＨセット０およびｅＰＤＣＣＨセット１は、ローカライズド送信マッピングおよび／または分散送信マッピングの任意の組み合わせのために定義される。
【０１２９】
ＵＥ特有サーチスペースは、ｅＰＤＣＣＨのためにｅＰＤＣＣＨ  ＵＳＳ（ｅＵＳＳとも称される）として定義される。各ＥＰＤＣＣＨ−ＰＲＢ−セットのサーチスペースは独立して設定される。
【０１３０】
図１２は、各ｅＰＤＣＣＨフォーマットについてｅＰＤＣＣＨを構成するＥＣＣＥの数を含む。ケースＡは、ＤＣＩフォーマット２／２Ａ／２Ｂ／２Ｃ／２Ｄが監視されサービング・セルの利用可能なダウンリンク・リソース・ブロックの数が２５以上であるとき標準サブフレームおよび標準ダウンリンクＣＰに適用され；あるいはＤＣＩフォーマット２／２Ａ／２Ｂ／２Ｃ／２Ｄが監視されサービング・セルの利用可能なダウンリンク・リソース・ブロックの数が２５以上であるとき特別サブフレーム設定３、４、８を有する特別サブフレームおよび標準ダウンリンクＣＰに適用され；あるいはＤＣＩフォーマット１Ａ／１Ｂ／１Ｄ／１／２／２Ａ／２Ｂ／２Ｃ／２Ｄ／０／４が監視され、ｎＥＰＤＣＣＨ＜１０４であるとき標準サブフレームおよび標準ダウンリンクＣＰに適用され； あるいはＤＣＩフォーマット１Ａ／１Ｂ／１Ｄ／１／２Ａ／２／２Ｂ／２Ｃ／２Ｄ／０／４が監視され、ｎＥＰＤＣＣＨ＜１０４であるとき特別サブフレーム設定３、４、８を有する特別サブフレームおよび標準ダウンリンクＣＰに適用される。他の場合には、ケースＢが使用される。
【０１３１】
特定の移動局デバイスのための上で参照された量ｎＥＰＤＣＣＨ（ＥＣＣＥにおいて利用できるＲＥＧの数）は、ＥＰＤＣＣＨ−セットの可能なＥＰＤＣＣＨ送信のために設定されたＰＲＢ−ペアのうちのダウンリンクＲＥの数であって、該ダウンリンクＲＥが該ＰＲＢ−ペアのうちの１６個のＥＲＥＧのうちのいずれか１つの一部分であること、該ダウンリンクＲＥがＵＥによってＣＲＳまたはＣＳＩ−ＲＳのために使用されるべきでないと想定されること、および該ダウンリンクＲＥが先頭のＯＦＤＭシンボルに等しいかまたはより高いＯＦＤＭシンボルｌの中に位置するということ（ｌ≧ｌＥＰＤＣＣＨＳｔａｒｔ）を満たすダウンリンクＲＥの数である、として定義される。
【０１３２】
特定の移動局デバイスのための上で参照された量ｎＥＰＤＣＣＨ、ＣＳＳ（共通シグナリングに専用されるＰＲＢのＥＣＣＥにおいて利用できるＲＥＧの数）は、共通シグナリングのために定義されたＥＰＤＣＣＨ−セットの可能なＥＰＤＣＣＨ送信のために設定されたＰＲＢ−ペアのうちのダウンリンクＲＥの数であって、該ダウンリンクＲＥが該ＰＲＢ−ペアのうちの１６個のＥＲＥＧのうちのいずれか１つの一部分であること、該ダウンリンクＲＥがＵＥによってＣＲＳまたはＣＳＩ−ＲＳのために使用されるべきでないと想定されること、および該ダウンリンクＲＥが先頭のＯＦＤＭシンボルに等しいかまたはより高いＯＦＤＭシンボルｌの中に位置するということ（ｌ≧ｌＥＰＤＣＣＨＳｔａｒｔ）を満たすダウンリンクＲＥの数である、として定義される。一例では、ｎＥＰＤＣＣＨ、ＣＳＳは固定されていると想定され得る。他の例では、ｎＥＰＤＣＣＨ、ＣＳＳは、例えばＥＰＤＣＣＨの先頭のシンボルｌＥＰＤＣＣＨＳｔａｒｔなどの他の多くのパラメータに依存する値を有する。ｌＥＰＤＣＣＨＳｔａｒｔまたは関連するパラメータは、ＲＲＣシグナリング、ＰＤＣＣＨ、ＥＰＤＣＣＨなどにより与えられ得るであろう。
【０１３３】
ＤＣＩのフォーマットは、ｅＰＤＣＣＨが送信される目的に依存する。フォーマット０は、普通はアップリンク・スケジューリングおよびアップリンク電力制御のために送信される。フォーマット１は、普通はダウンリンクＳＩＭＯ（Ｓｉｎｇｌｅ  Ｉｎｐｕｔ  Ｍｕｌｔｉｐｌｅ  Ｏｕｔｐｕｔ（単一入力多出力））スケジューリングおよびアップリンク電力制御のために送信される。フォーマット２は、普通はダウンリンクＭＩＭＯスケジューリングおよびアップリンク電力制御のために送信される。フォーマット３は、普通はアップリンク電力制御のために送信される。フォーマット４は、普通は最大４個の層のアップリンク・スケジューリングのために送信される。
【０１３４】
図１３は、ＥＰＤＣＣＨのための共通サーチスペースの例を示す。候補ｅＰＤＣＣＨはＥＣＣＥの上に表され、従って該例はローカライズド送信および分散送信の両方について有効である。
【０１３５】
この例では、連結レベル４で定義された３つの候補および連結レベル８の２つの候補があるけれども、本発明はこれらの値に限定されず、他の連結レベルとともに他の量も含まれる。
【０１３６】
候補ｅＰＤＣＣＨは固定され、常に同じＥＣＣＥに存在することができ、あるいは候補ｅＰＤＣＣＨの位置は、セル・アイデンティティ、帯域幅などの他のパラメータに依存することができる。これらのパラメータのうちの１つ以上に応じて、第１候補の先頭の位置は、サーチスペースの一部である任意のＥＣＣＥへ移動させられ得る。
【０１３７】
さらに、可能な場合には候補ｅＰＤＣＣＨ間にセパレーションが存在し得るであろう。本例では、連結レベル８の２つの候補がサーチスペースにぴったり嵌まり、該候補の間にセパレーションを画定することはできない。第１候補の先頭の位置はＥＣＣＥ＃０またはＥＣＣＥ＃８であることができ、この場合には第２候補はＥＣＣＥ＃０からスタートする。連結レベル４については、先頭の位置および候補間のセパレーションの両方についてより多くの可能性がある。
【０１３８】
本発明の１つの実施態様は、ｅＰＤＣＣＨのための拡張共通サーチスペース（ｅｎｈａｎｃｅｄ  ｃｏｍｍｏｎ  ｓｅａｒｃｈ  ｓｐａｃｅ（ＥＣＳＳ））を別のＥＰＤＣＣＨ−セット、例えばＥＰＤＣＣＨ−セット２、に導入する。
【０１３９】
図１４は、ｅＰＤＣＣＨ−セット２が導入される例を示す。この例ではｅＰＤＣＣＨ−セット０および１はｅＵＳＳに対応する。ＥＰＤＣＣＨ−セット２は、ｅＣＳＳと関連するＥＰＤＣＣＨ−セットである。本明細書の残りの部分においては、ｅＣＳＳと関連するｅＰＤＣＣＨ−セットは、一般性を失うことなくｅＰＤＣＣＨ−セット２と称され得る。
【０１４０】
ＰＲＢ−ペアにおけるＥＣＣＥの割り当ては、分散マッピングに類似するプロセスで行われ得る。共通制御チャネル情報は、時には基地局デバイスから遠く離れていたり低カバレージ状態であったりする移動局デバイスに達するように意図される。分散マッピングは、周波数ダイバーシティを通してＥＣＳＳのロバストネスを高めるのに役立つ。しかし、以下で強調されるように、或る場合にはローカライズド・マッピングが有利であり、従ってローカライズド・マッピングの使用は本発明において排除されない。
【０１４１】
ＥＰＤＣＣＨ−ＰＲＢ−セット２は、共通制御チャネル情報のために必要とされまたは期待される連結レベルと直接相関して種々のＰＲＢスパンを有することができる。
【０１４２】
本発明の１つの実施態様では、ｅＰＤＣＣＨ−セット２を構成するＰＲＢの数および／または位置は固定されていて基地局デバイスおよび移動局デバイスの両方に知られている。基地局デバイスは自分の共通制御チャネル情報をこれらの既知ＰＲＢで送信し、移動局デバイスは該既知ＰＲＢを監視するように期待される。基地局デバイスは、共通制御チャネル情報を利用可能なＥＣＣＥの一部で送信し、残りを空にしておくことができる。
【０１４３】
あるいは、基地局デバイスは、共通制御チャネル情報のために所定ＰＲＢのうちの何個を使用するか決定し、残りをデータ送信のために利用可能にしておくことができる。
【０１４４】
ＥＣＣＥの分散マッピングの場合、移動局デバイスは、ＥＣＳＳ内の全ての候補ＰＲＢを監視し、全ての可能な設定において共通制御チャネルを復号しようと試みる。例えば、ＥＣＳＳの一例は固定されて４個のＰＲＢで定義されるけれども、基地局デバイスはこれらのＰＲＢのうちの２つで送信する必要があるだけであり、他の２つのＰＲＢはデータのために使用される。移動局デバイスは、この使用法を知っておらず、従って４個のＰＲＢに対応するＥＣＳＳおよび２個のＰＲＢに対応するＥＣＳＳを復号しようと試みる。
【０１４５】
本発明の他の１つの実施態様では、ＥＣＣＳのＰＲＢへのマッピングは、ローカライズド・マッピング方法に対応する。基地局デバイスは、共通制御情報をＰＲＢに所定順序で割り当て始める。例えば、該順序は周波数の大きくなってゆく値に対応し、その場合基地局デバイスは共通制御情報を、まだ割り当てられていないＰＲＢのうちの最低周波数を有するＰＲＢに割り当てる。他の一例は、ＰＲＢを該ＰＲＢがＤＣキャリヤ（周波数において帯域幅の中央）にどれだけ近いかに関連して排列し、２個のＰＲＢが該ＤＣキャリヤに等距離のところにある場合には何らかの基準に従ってＰＲＢを選択する（例えば、最低周波数のＰＲＢが先に割り当てられる）。この場合、移動局デバイスは使用されていないＥＣＣＥを有するＰＲＢが検出されるまでＰＲＢを順に監視し、残りのＰＲＢのブラインド復号を飛び越す。あるいは、移動局デバイスは全てのＰＲＢを監視してもよい。
【０１４６】
本発明の他の一実施態様では、ｅＰＤＣＣＨ−セット２を構成するＰＲＢの数および／または位置は、システムの他の何らかのパラメータ、例えば帯域幅またはセルＩＤ（ｃｅｌｌ  ｉｄｅｎｔｉｔｙ（セル・アイデンティティ））、に従って暗黙に示される。例えば、移動局デバイスはネットワークへの初期アクセスを行って基地局デバイスから帯域幅情報を受信し、該帯域幅情報は所定のｅＰＤＣＣＨ設定に対応する。他の一例では、移動局デバイスは、初期アクセス手順で移動局デバイスからセルＩＤを取得し、ｅＰＤＣＣＨ−ＰＲＢ−セット２のサイズおよび位置を得るために数値演算を行う。これらのおよび他の同様の方法は排他的ではなくて、他の一例においてはｅＰＤＣＣＨ−ＰＲＢ−セットのサイズはネットワークの帯域幅に依存し得、ｅＰＤＣＣＨ−ＰＲＢ−セットのＰＲＢの位置はセルＩＤに依存し得る。
【０１４７】
本発明の他の一実施態様では、ｅＰＤＣＣＨ−セット２の設定は、基地局デバイスによって明示的に与えられる。
【０１４８】
本発明の他の一実施態様では、ｅＰＤＣＣＨ−セットのサイズまたは位置は固定され、暗黙に示され、または明示され、他のパラメータは、独立に、固定され、暗黙に示され、または明示される。
【０１４９】
さらに、ｅＣＳＳも固定され、暗黙に示され、または明示され得る。各連結レベルについて監視候補の数は、固定され、暗黙に示され（例えば帯域幅に依存して）、または基地局デバイスにより明示的に与えられ得る。これらの監視候補の各々の先頭の位置は、独立に固定され、暗黙に示され（例えば、ＲＮＴＩ、または無線フレーム内のスロット数に依存して）、または基地局デバイスによって明示的に与えられ得る。
【０１５０】
図１５は、リソース・エレメント・マッピング・アサンプションに関する決定についてのフローチャートを示す。移動局デバイスは、パラメータの値、チャネルの品質の程度、あるいは他の何か（状態）であり得る所与の状態をチェックする。状態１が満たされれば、移動局デバイスはリソース・エレメント・マッピング・アサンプション１の下で動作する。状態２が満たされれば、移動局デバイスはリソース・エレメント・マッピング・アサンプション２の下で動作する。
【０１５１】
該図は２つの状態だけを示しているけれども、或る場合には状態のセットに依存して３つ、４つ、あるいはそれ以上の異なる結果がある。この図は、多様な可能な状態を考慮に入れるためにこの図を拡張することは些細な課題であることを理解して、これらの場合にも使用される。あるいは、これらの場合は、状態１が単一の状態に対応し状態２が全ての残りの状態全体に対応する一連の二元状態と考えられ得る。状態２が選択されれば、該残りの状態のうちの１つを新しい状態１として用いるとともに残りのものを状態２として用いて該プロセスが反復される。
【０１５２】
移動局デバイスは状態を所与のレートでチェックし、該レートは、例えば、サブフレームごとに、無線フレームごとに、所定のイベントが起こるごとに、などであり得る。該フローチャートに示されているリソース・エレメント・マッピング・アサンプション１、２、・・・は、状態がチェックされるごとに異なり得る。
【０１５３】
リソース・エレメント・マッピング・アサンプションは、ＣＲＳの数、ＣＲＳ位置、ＣＲＳ存在、ＣＳＩ−ＲＳ位置、ＣＳＩ−ＲＳ設定、ＣＦＩ値および／またはＥＰＤＣＣＨのための先頭のＯＦＤＭシンボルによって定義され得る。
【０１５４】
図１６は、準コロケーション・アサンプションに関する決定のためのフローチャートを示す。移動局デバイスは、パラメータの値、チャネルの品質の程度、あるいは他の何か（状態）であり得る所与の状態をチェックする。状態１が満たされれば、移動局デバイスは準コロケーション・アサンプション１の下で動作する。状態２が満たされれば、移動局デバイスは準コロケーション・アサンプション２の下で動作する。
【０１５５】
該図は２つの状態だけを示しているけれども、或る場合には状態のセットに依存して３つ、４つ、あるいはそれ以上の異なる結果がある。この図は、多様な可能な状態を考慮に入れるためにこの図を拡張することは些細な課題であることを理解して、これらの場合にも使用される。あるいは、これらの場合は、状態１が単一の状態に対応し状態２が全ての残りの状態全体に対応する一連の二元状態と考えられ得る。状態２が選択されれば、該残りの状態のうちの１つを新しい状態１として用いるとともに残りのものを状態２として用いて該プロセスが反復される。
【０１５６】
移動局デバイスは状態を所与のレートでチェックし、該レートは、例えば、サブフレームごとに、無線フレームごとに、所定のイベントが起こるごとに、などであり得る。該フローチャートに示されている準コロケーション・アサンプション１、２、・・・は、状態がチェックされるごとに異なり得る。
【０１５７】
準コロケーション・アサンプションは、ＰＤＣＣＨ／ＥＰＤＣＣＨ／ＰＤＳＣＨのためのアンテナ・ポートと準コロケートされるリソース（例えば、ＣＳＩ−ＲＳ、ＣＲＳ、トラッキングＲＳ、同期信号、ディスカバリ信号）および／または移動局デバイスにより使用されるべき準コロケーション挙動（タイプＡおよびタイプＢ）により定義され得る。
【０１５８】
前のフローチャートにおいて説明された状態は、ＲＲＣ、ＰＤＣＣＨ、ＥＰＤＣＣＨ、ＭＩＢ、および／またはＳＩＢを通して設定／通知される１つ以上のパラメータにより定義され得る。例えば、状態は、送信モード、より高位の層の設定、および／またはサブフレーム設定により定義され得る。
【０１５９】
本発明の一実施態様では、ｅＰＤＣＣＨ−セット２のサイズおよび／または位置が基地局デバイスにより移動局デバイスに明示的に送信される。例えば、無線フレーム内の各サブフレームの詳細な設定はビットマップを通して得られる。
【０１６０】
図１７は、ｅＰＤＣＣＨ  ＳＳ（Ｓｅａｒｃｈ  Ｓｐａｃｅ（サーチスペース））の存在が基地局デバイスによりＥＰＤＣＣＨインジケーションを通して、この例では“ＥＰＤＣＣＨサブフレーム・パターン”の形で、伝えられる例を示す。例えば、該“ＥＰＤＣＣＨサブフレーム・パターン”は、所与の数、例えば１０、４０など、のビットのビットマップ情報であり得る。
【０１６１】
“ＰＤＣＣＨ  ＳＳ”という用語は、ＣＳＳ、ＵＳＳ、あるいはその両方を指すことができる。“ＥＰＤＣＣＨ  ＳＳ”という用語は、ｅＣＳＳ、ｅＵＳＳ、あるいはその両方を指すことができる。下記において、“ＰＤＣＣＨ  ＳＳ”および“ＥＰＤＣＣＨ  ＳＳ”がＰＤＣＣＨ  ＣＳＳおよびＥＰＤＣＣＨ  ＣＳＳにそれぞれ対応する典型的なケースが扱われる。本発明はこの例に限定されず、ＣＳＳ、ＵＳＳ、ｅＣＳＳ、ｅＵＳＳの任意の組み合わせも考慮される。
【０１６２】
該図において、無線フレームのアップリンク−ダウンリンク設定およびその無線フレームに対応する１０ビットのビットマップ“ＥＰＤＣＣＨサブフレーム・パターン”が示されている。該ビットマップは、移動局デバイスがｅＰＤＣＣＨ  ＳＳを監視するように期待されるサブフレームにおいては１にセットされる。該ビットマップは、移動局デバイスがｅＰＤＣＣＨ  ＳＳを監視するように期待されないサブフレームにおいては０にセットされる。
【０１６３】
本例では、移動局デバイスは、該移動局デバイスがｅＰＤＣＣＨ  ＳＳを監視するならば、ＰＤＣＣＨ  ＳＳを監視しない。移動局デバイスが所与のサブフレームにおいて実行するように期待されるブラインド復号の数を増やすと、システムの全体としての複雑さが増す。従って、複雑さを現行のシステムになるべく近いレベルに維持するために、移動局デバイスは、ＰＤＣＣＨ  ＳＳまたはｅＰＤＣＣＨ  ＳＳの両方ではなくていずれか１つを監視する。これは、本発明の制約条件ではない。他の一例においては、移動局デバイスは同じサブフレームにおいてＰＤＣＣＨ  ＳＳおよびＥＰＤＣＣＨ  ＳＳの両方を監視することができる。
【０１６４】
移動局デバイスは、ｅＰＤＣＣＨ  ＣＳＳのために設定されていないダウンリンク・サブフレーム（特別サブフレームを含む）内のＰＤＣＣＨ  ＣＳＳを監視する。
【０１６５】
リソース・エレメント・マッピング・アサンプション・フローチャートに従って、状態１は１にセットされたＥＰＤＣＣＨサブフレーム・パターンに対応し、状態２はダウンリンク・サブフレームにおいて０にセットされたＥＰＤＣＣＨサブフレーム・パターンに対応する。状態１の下では、移動局デバイスはリソース・エレメント・マッピング１を想定する（ＣＲＳおよび／または他の基準信号の周りでのリソース・エレメント・マッピング）。状態２の下では、移動局デバイスはリソース・エレメント・マッピング２（サブフレーム内にＣＲＳまたは短縮ＣＲＳが存在しない）を想定する。
【０１６６】
準コロケーション・アサンプション・フローチャートに従って、状態１および２は上記の状態１および２に対応する。これらの状態の各々から引き出される準コロケーション・アサンプションは、システムの他の考慮事項に依存する。
【０１６７】
一例では両方の状態が同じ準コロケーション・アサンプションに通じる。
【０１６８】
他の一例においては、移動局デバイスは２つのＰＱＩを受信する。この場合、状態１は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０１６９】
本発明の他の一実施態様は、ＰＤＣＣＨ  ＳＳを常に監視するとともにビットマップに従ってｅＰＤＣＣＨ  ＳＳを監視する移動局デバイスに関係する。
【０１７０】
移動局デバイスがＥＰＤＣＣＨサブフレーム・パターンおよびＥＰＤＣＣＨ監視で設定されているならば、該移動局デバイスは、アップリンク−ダウンリンク設定により示されるサブフレームおよびＥＰＤＣＣＨサブフレーム・パターンに依存してリソース・エレメント・マッピングおよび／または準コロケーション・アサンプションを決定する。
【０１７１】
図１８は、サブフレームのうちの幾つかがフレキシブルなサブフレームとして設定される例を示す。
【０１７２】
フレキシブルなサブフレームは、前記のように二重設定セット、アップリンク−ダウンリンク設定１およびアップリンク−ダウンリンク設定２によって定義される。図の例では、次のサブフレーム、すなわちサブフレーム＃３、およびサブフレーム＃８、がフレキシブルとして設定される。ｅＰＤＣＣＨサブフレーム・パターンは、どのサブフレームにおいて移動局デバイスがｅＰＤＣＣＨ  ＳＳを監視するように期待されるかを示す。
【０１７３】
リソース・エレメント・マッピング・アサンプション・フローチャートに従って、状態１はレガシー・サブフレームにおいて１にセットされているＥＰＤＣＣＨサブフレーム・パターンに対応し、状態２はフレキシブルなサブフレームにおいて１にセットされているＥＰＤＣＣＨサブフレーム・パターンに対応する。状態１の下では（レガシー・サブフレーム）、移動局デバイスはリソース・エレメント・マッピング１を想定する（ＣＲＳおよび／または他の基準信号の周りのリソース・エレメント・マッピング）。状態２の下では（フレキシブルなサブフレーム）、移動局デバイスはリソース・エレメント・マッピング２を想定する（サブフレーム内にＣＲＳまたは短縮ＣＲＳが存在しない）。
【０１７４】
さらに、移動局デバイスは、ダウンリンクのために設定されている、その中でＥＰＤＣＣＨ監視が期待されていないところのサブフレームにおいてＰＤＣＣＨ  ＳＳ監視を行う。このことは、それのために移動局デバイスがアップリンク・スケジューリング許可を持っていないところのフレキシブルなサブフレームを含む。移動局はフレキシブルなサブフレームがアップリンクのために他の移動局デバイスによりあるいはダウンリンクのために使用されるかどうかを知らず、従ってＰＤＳＣＣＨが監視されなければならない。このことは状態３と見なされ得る。
【０１７５】
準コロケーション・アサンプション・フローチャートに従って、状態１はレガシー・サブフレームにおいて１にセットされているＥＰＤＣＣＨサブフレーム・パターンに対応し、状態２はフレキシブルなサブフレームにおいて１にセットされているＥＰＤＣＣＨサブフレーム・パターンに対応し、状態３はＥＰＤＣＣＨサブフレーム・パターンが０にセットされているダウンリンク・サブフレームに対応する。これらの状態の各々から引き出される準コロケーション・アサンプションは、システムの他の考慮事項に依存する。
【０１７６】
一例においては、移動局デバイスはＰＱＩを１つだけ受信する。この場合、状態１および状態３は準コロケーション・アサンプション１に通じ、該準コロケーション・アサンプションは受信されたＰＱＩに対応する。状態２は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０１７７】
他の一例においては、移動局デバイスは２つのＰＱＩ値を受信する。この場合、状態１および状態３は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０１７８】
他の一例においては、移動局デバイスは３つのＰＱＩ値を受信し、各状態は異なる準コロケーション・アサンプションに通じる。
【０１７９】
移動局デバイスがＥＰＤＣＣＨサブフレーム・パターン、アップリンク−ダウンリンク設定２およびＥＰＤＣＣＨ監視で設定されるならば、移動局デバイスは、リソース・エレメント・マッピングおよび／または準コロケーション・アサンプションを、アップリンク−ダウンリンク設定１、アップリンク−ダウンリンク設定２、およびＥＰＤＣＣＨサブフレーム・パターンにより示されるサブフレームに依存して決定する。
【０１８０】
図１９は他の一例としての場合を示し、この場合には基地局移動デバイスは、どのサブフレームにおいて移動局デバイスがレガシーＣＲＳの周りのリソース・エレメント・マッピングを有するＥＣＳＳを監視するように期待されるかを示すためにビットマップを送信する。さらに、基地局デバイスは、どのサブフレームにおいて移動局デバイスが短縮または非実在ＣＲＳを有するＥＣＳＳを監視するように期待されるかを示すために他の１つのビットマップを送信する。
【０１８１】
リソース・エレメント・マッピング・アサンプション・フローチャートに従って、状態１は１にセットされているＥＰＤＣＣＨサブフレーム・パターン１に対応する。この場合、移動局デバイスは、ＣＲＳの周りのリソース・エレメント・マッピングを想定する（リソース・エレメント・マッピング・アサンプション１）。状態２は１にセットされているＥＰＤＣＣＨサブフレーム・パターン２に対応し、この場合には移動局デバイスは、ＣＲＳが存在しないかあるいはＣＲＳの存在が短縮されているサブフレームのためのリソース・エレメント・マッピングを想定する。さらに、状態３は、全てのビットマップが０にセットされサブフレームがダウンリンクとしてまたは特別サブフレームとして設定されている場合として定義され得る。この場合、移動局デバイスはＰＤＣＣＨのサーチスペースを監視する。
【０１８２】
準コロケーション・アサンプション・フローチャートに従って、状態１、２および３は、上で記述されたように同じ状態である。これらの状態の各々から引き出される準コロケーション・アサンプションは、システムの他の考慮事項に依存する。
【０１８３】
一例においては、移動局デバイスはＰＱＩを１つだけ受信する。この場合、状態１および状態３は準コロケーション・アサンプション１に通じ、該準コロケーション・アサンプションは受信されたＰＱＩに対応する。状態２は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０１８４】
他の一例においては、移動局デバイスは２つのＰＱＩ値を受信する。この場合、状態１および状態３は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０１８５】
他の一例においては、移動局デバイスは３つのＰＱＩ値を受信し、各状態は異なる準コロケーション・アサンプションに通じる。
【０１８６】
本発明の他の一実施態様においては、マッピングは２ビット以上を介して行われる。マッピング・シーケンスの各位置は、複数のオプションから対応するサブフレームのためのＥＣＳＳの設定を与える。
【０１８７】
移動局デバイスがＥＰＤＣＣＨサブフレーム・パターン１、ＥＰＤＣＣＨサブフレーム・パターン２およびＥＰＤＣＣＨ監視で設定されているならば、移動局デバイスは、リソース・エレメント・マッピングおよび／または準コロケーション・アサンプションを、アップリンク−ダウンリンク設定、アップリンク−ダウンリンク設定２、ＥＰＤＣＣＨサブフレーム・パターン１およびＥＰＤＣＣＨサブフレーム・パターン２により示されるサブフレームに依存して決定する。
【０１８８】
図２０は、どのサブフレームを監視するかを移動局デバイスが暗黙に想定する場合を示す。移動局デバイスは、ダウンリンク・サブフレーム、特別サブフレーム、および移動局デバイスがそれのためのアップリンク許可を持っていないところのフレキシブルなサブフレームについてＥＰＤＣＣＨ  ＳＳを監視する。移動局デバイスはＰＤＣＣＨ  ＳＳを監視しない。リソース・エレメント・マッピングおよび準コロケーションも暗黙に想定される。
【０１８９】
リソース・エレメント・マッピング・アサンプション・フローチャートに従って、状態１はダウンリンクまたは特別レガシー・サブフレームに対応する。この場合、移動局デバイスはＣＲＳの周りのリソース・エレメント・マッピングを想定する（リソース・エレメント・マッピング・アサンプション１）。状態２は移動局デバイスがそれのためにアップリンク許可を持っていないところのフレキシブルなサブフレームに対応し、この場合、移動局デバイスは、ＣＲＳが存在しないかまたはその存在が短縮されているサブフレームのためのリソース・エレメント・マッピングを想定する。
【０１９０】
準コロケーション・アサンプション・フローチャートに従って、状態１および２は、上記のように同じ状態である。これらの状態の各々から引き出される準コロケーション・アサンプションは、システムの他の考慮事項に依存する。
【０１９１】
一例では、移動局デバイスはＰＱＩを１つだけ受信する。この場合、状態１は準コロケーション・アサンプション１に通じ、該準コロケーション・アサンプションは受信されたＰＱＩに対応する。状態２は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０１９２】
他の一例においては、移動局デバイスは２つのＰＱＩ値を受信する。この場合、状態１は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０１９３】
移動局デバイスがアップリンク−ダウンリンク設定２およびＥＰＤＣＣＨ監視で設定されているならば、移動局デバイスは、リソース・エレメント・マッピングおよび／または準コロケーション・アサンプションを、アップリンク−ダウンリンク設定１およびアップリンク−ダウンリンク設定２により示されるサブフレームに依存して決定する。例えば、リソース・エレメント・マッピング・アサンプション１におけるマッピングはサービング・セルのＣＲＳまたはより高位の層のシグナリングにより示されるＣＲＳを考慮して行われ、リソース・エレメント・マッピング・アサンプション２におけるマッピングはＣＲＳを考慮しないかあるいはより高位の層のシグナリングにより示されるＣＲＳを考慮して行われる。
【０１９４】
図２１は、移動局デバイスがＰＤＣＣＨ  ＳＳだけを監視するけれども、リソース・エレメント・マッピングおよび準コロケーション・アサンプションが変化することができてシステムの他のパラメータと共に暗黙に示される場合を示す。ＰＤＣＣＨはＣＲＳが検索可能であることを必要とするけれども、ＣＲＳが短縮されていてＰＤＣＣＨ領域に他の基準信号が全く存在しない場合を定義することが可能である。
【０１９５】
リソース・エレメント・マッピング・アサンプション・フローチャートに従って、状態１はダウンリンクまたは特別レガシー・サブフレームに対応する。この場合、移動局デバイスは、ＣＲＳの周りのリソース・エレメント・マッピングを想定する（リソース・エレメント・マッピング・アサンプション１）。状態２は、移動局デバイスがそれのためにアップリンク許可を持っていないところのフレキシブルなサブフレームに対応し、この場合、移動局デバイスは、ＣＲＳが短縮されているかまたは存在しなくて他の基準信号が存在しないサブフレームについてリソース・エレメント・マッピングを想定する。
【０１９６】
準コロケーション・アサンプション・フローチャートに従って、状態１および２は上記のように同じ状態である。これらの状態の各々から引き出される準コロケーション・アサンプションは、システムの他の考慮事項に依存する。
【０１９７】
一例においては、移動局デバイスはＰＱＩを１つだけ受信する。この場合、状態１は準コロケーション・アサンプション１に通じ、該準コロケーション・アサンプションは受信されたＰＱＩに対応する。状態２は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０１９８】
他の一例においては、移動局デバイスは２つのＰＱＩ値を受信する。この場合、状態１は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０１９９】
移動局デバイスがアップリンク−ダウンリンク設定２で設定されていて移動局デバイスがＥＰＤＣＣＨ監視で設定されていなければ、移動局デバイスは、リソース・エレメント・マッピングおよび／または準コロケーション・アサンプションを、アップリンク−ダウンリンク設定１およびアップリンク−ダウンリンク設定２により示されるサブフレームに依存して決定する。
【０２００】
本発明の他の一実施態様では、ビットマップは固定される。ＴＤＤ設定においてＥＣＳＳを伝えるサブフレームは常に同じである。基地局移動デバイスは、共通制御情報をこれらのサブフレームで送信し、移動局デバイスは該サブフレームを監視する。基地局デバイスが上記のようにこれらのサブフレームにおいてＥＣＳＳのために使用されないＰＲＢをデータのために使用する任意の代わりの場合も、この場合に当てはまる。
【０２０１】
本発明の一実施態様では、基地局デバイスはＥＣＳＳ情報をＭＩＢ（Ｍａｓｔｅｒ  Ｉｎｆｏｒｍａｔｉｏｎ  Ｂｌｏｃｋ（主情報ブロック））内に含み、該情報は、４０ｍｓごとに更新されて１０ｍｓごとにＢＣＨ（Ｂｒｏａｄｃａｓｔ  Ｃｈａｎｎｅｌ（ブロードキャスト・チャネル））で送信される。移動局デバイスは、初期アクセス手順の間にこのフィールドを読んでＥＣＳＳを監視し始める。あるいは、ＭＩＢは、複数のオプションから所定設定を与えるインデックスを含む。該オプションは、システムの帯域幅に依存して変化し得る。あるいは、ＭＩＢは、ＰＤＳＣＨ内またはＳＩＢ内など、他のセグメント内にこの情報が存在することを信号するフラグを含む。
【０２０２】
本発明の他の一実施態様では、基地局デバイスはこの情報を特定のＳＩＢ（Ｓｙｓｔｅｍ  Ｉｎｆｏｒｍａｔｉｏｎ  Ｂｌｏｃｋ（システム情報ブロック））内に含む。ＳＩＢは他のデータと共にＤＬ−ＳＣＨ（Ｄｏｗｎｌｉｎｋ  Ｓｈａｒｅｄ  Ｃｈａｎｎｅｌ（ダウンリンク・シェアド・チャネル））で送信される。あるいは、ＥＣＳＳを識別して復号するために必要なパラメータは、現存するＳＩＢのコンプリメントとして送信される。
【０２０３】
さらに、共通情報または他の所定位置における共通情報の存在は、ＭＩＢ、ＳＩＢ、および／またはＲＲＣシグナリングなどの何らかの明示的方法を組み合わせて送信され得る。
【０２０４】
本発明の他の一実施態様では、ＥＣＳＳ設定情報はＲＲＣメッセージ送信を通して送信される。
【０２０５】
図２２は、どのサブフレームを監視するかを移動局デバイスが暗黙に想定する場合を示す。移動局デバイスは、ダウンリンク・サブフレームおよび特別サブフレームについてＰＤＣＣＨ  ＳＳを監視する（アップリンク−ダウンリンク設定１およびアップリンク−ダウンリンク設定２の両方においてＤまたはＳとして設定される）。移動局デバイスは、移動局デバイスがそれのためにアップリンク許可を持っていないところのフレキシブルなサブフレームについてＥＰＤＣＣＨ  ＳＳを監視する。リソース・エレメント・マッピングおよび準コロケーションも暗黙に想定される。
【０２０６】
リソース・エレメント・マッピング・アサンプション・フローチャートに従って、状態１はレガシー・ダウンリンクまたは特別サブフレームに対応する。この場合、移動局デバイスはＣＲＳの周りのリソース・エレメント・マッピングを想定する（リソース・エレメント・マッピング・アサンプション１）。状態２は、移動局がそれのためにアップリンク許可を持っていないところのフレキシブルなサブフレームに対応し、この場合には、移動局デバイスは、その中にＣＲＳが存在しないかあるいはＣＲＳの存在が短縮されているところのサブフレームのためのリソース・エレメント・マッピングを想定する。
【０２０７】
準コロケーション・アサンプション・フローチャートに従って、状態１および２は上記のように同じ状態である。これらの状態の各々から引き出される準コロケーション・アサンプションは、システムの他の考慮事項に依存する。
【０２０８】
一例では、移動局デバイスはＰＱＩを１つだけ受信する。この場合、状態１は準コロケーション・アサンプション１に通じ、該準コロケーション・アサンプションは受信されたＰＱＩに対応する。状態２は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２０９】
他の一例においては、移動局デバイスは２つのＰＱＩ値を受信する。この場合、状態１は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０２１０】
図２３は、移動局デバイスが決定された状態を有するＥＣＳＳをどのサブフレームにおいて監視するように期待されるかを示すために基地局デバイスが複数のビットマップを送信する場合を示す。該図は、ＥＣＳＳ状態ＡおよびＥＣＳＳ状態Ｂに対応する２つのビットマップが送信される例を示す。
【０２１１】
移動局デバイスは、それのためにアップリンク−ダウンリンク設定１およびアップリンク−ダウンリンク設定２が両方ともＤまたはＳにセットされＥＰＤＣＣＨサブフレーム・パターン１およびＥＰＤＣＣＨサブフレーム・パターン２が両方とも０にセットされているところのサブフレームにおいてＰＤＣＣＨ  ＳＳを監視する。移動局デバイスは、それのためにアップリンク−ダウンリンク設定１およびアップリンク−ダウンリンク設定２が両方ともＤまたはＳにセットされＥＰＤＣＣＨサブフレーム・パターン１が１にセットされＥＰＤＣＣＨサブフレーム・パターン２が０にセットされているところのサブフレームにおいて、状態（Ａ）を有するＥＰＤＣＣＨ  ＳＳを監視する。移動局デバイスは、それのためにアップリンク−ダウンリンク設定１およびアップリンク−ダウンリンク設定２が両方ともＤまたはＳにセットされＥＰＤＣＣＨサブフレーム・パターン１が０にセットされＥＰＤＣＣＨサブフレーム・パターン２が１にセットされているところのサブフレームにおいて、状態（Ｂ）を有するＥＰＤＣＣＨ  ＳＳを監視する。
【０２１２】
リソース・エレメント・マッピング・アサンプション・フローチャートに従って、状態１は、アップリンク−ダウンリンク設定１およびアップリンク−ダウンリンク設定２が両方ともＤまたはＳにセットされＥＰＤＣＣＨサブフレーム・パターン１およびＥＰＤＣＣＨサブフレーム・パターン２が両方とも０にセットされていることに対応する。この場合、移動局デバイスは、ＣＲＳの周りのリソース・エレメント・マッピングを想定する（リソース・エレメント・マッピング・アサンプション１）。状態２は、アップリンク−ダウンリンク設定１およびアップリンク−ダウンリンク設定２が両方ともＤまたはＳにセットされＥＰＤＣＣＨサブフレーム・パターン１が１にセットされＥＰＤＣＣＨサブフレーム・パターン２が０にセットされていることに対応し、この場合には移動局デバイスは、その中において状態（Ａ）に従ってＣＲＳが存在しないかあるいはＣＲＳの存在が短縮されているところのサブフレームのためのリソース・エレメント・マッピングを想定する。状態３は、アップリンク−ダウンリンク設定１およびアップリンク−ダウンリンク設定２が両方ともＤまたはＳにセットされＥＰＤＣＣＨサブフレーム・パターン１が１にセットされＥＰＤＣＣＨサブフレーム・パターン２が０にセットされていることに対応し、この場合には移動局デバイスは、その中において（Ｂ）に従ってＣＲＳが存在しないかあるいはＣＲＳの存在が短縮されているところのサブフレームのためのリソース・エレメント・マッピングを想定する。
【０２１３】
準コロケーション・アサンプション・フローチャートに従って、状態１、２および３は上記のように同じ状態である。これらの状態の各々から引き出される準コロケーション・アサンプションは、システムの他の考慮事項に依存する。
【０２１４】
一例においては、移動局デバイスはＰＱＩを１つだけ受信する。この場合、状態１および状態３は準コロケーション・アサンプション１に通じ、該準コロケーション・アサンプションは受信されたＰＱＩに対応する。該状態のうちの残りのもの（例えば状態２）は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２１５】
他の一例においては、移動局デバイスは２つのＰＱＩを受信する。この場合、状態１および状態３は準コロケーション・アサンプション１に通じ、該準コロケーション・アサンプションは受信されたＰＱＩのうちの１つに対応する。状態２は準コロケーション・アサンプション２に通じ、該準コロケーション・アサンプションは他方の受信されたＰＱＩに対応する。
【０２１６】
他の一例においては、移動局デバイスは３つのＰＱＩを受信し、各状態は異なる準コロケーション・アサンプションに通じる。
【０２１７】
本発明の他の一実施態様では、マッピングは２ビット以上を介して行われる。マッピング・シーケンスの各位置は、複数のオプションから対応するサブフレームのためのＥＣＳＳの設定を与える。
【０２１８】
図２４は、サブフレームのうちの幾つかがフレキシブルなサブフレームとして設定される例を示す。
【０２１９】
フレキシブルなサブフレームは、上で説明されたように、二重設定セット、アップリンク−ダウンリンク設定１およびアップリンク−ダウンリンク設定２によって定義される。図の例では、次のサブフレーム、すなわちサブフレーム＃３、サブフレーム＃４、サブフレーム＃８、およびサブフレーム＃９、がフレキシブルとして設定される。移動局デバイスは、ＥＰＤＣＣＨサブフレーム・パターンが０にセットされるならばＰＤＣＣＨ  ＳＳ１を、ＥＰＤＣＣＨサブフレーム・パターンが１にセットされるならばＥＰＤＣＣＨ  ＳＳ１を、監視するように期待される。さらに、移動局デバイスは、非−アップリンク・レガシー・サブフレームにおいてＰＤＣＣＨ  ＳＳ２を監視するように期待される。移動局デバイスは、それのために該移動局デバイスがアップリンク許可を持っていないところのフレキシブルなサブフレームにおいてＥＰＤＣＣＨ  ＳＳ２を監視するように期待される。
【０２２０】
リソース・エレメント・マッピング・アサンプション・フローチャートに従って、状態１はレガシー・サブフレームにおいてＥＰＤＣＣＨサブフレーム・パターンが０にセットされることに対応し、この場合、移動局デバイスはＰＤＣＣＨ  ＳＳ１およびＰＤＣＣＨ  ＳＳ２を監視するように期待される。状態２はレガシー・サブフレームにおいてＥＰＤＣＣＨサブフレーム・パターンが１にセットされることに対応し、移動局デバイスはＥＰＤＣＣＨ  ＳＳ１およびＰＤＣＣＨ  ＳＳ２を監視するように期待される。状態３は、フレキシブルなサブフレームにおいてＥＰＤＣＣＨサブフレーム・パターンが０にセットされることに対応し、移動局デバイスはＰＤＣＣＨ  ＳＳ１およびＥＰＤＣＣＨ  ＳＳ２を監視するように期待される。状態４は、フレキシブルなサブフレームにおいてＥＰＤＣＣＨサブフレーム・パターンが１にセットされることに対応し、移動局デバイスはＥＰＤＣＣＨ  ＳＳ１およびＥＰＤＣＣＨ  ＳＳ２を監視するように期待される。
【０２２１】
準コロケーション・アサンプション・フローチャートに従って、状態１はレガシー・サブフレームにおいてＥＰＤＣＣＨサブフレーム・パターンが０にセットされることに対応し、状態２はレガシー・サブフレームにおいてＥＰＤＣＣＨサブフレーム・パターンが１にセットされることに対応し、状態３はフレキシブルなサブフレームにおいてＥＰＤＣＣＨサブフレーム・パターンが０にセットされることに対応し、状態４はフレキシブルなサブフレームにおいてＥＰＤＣＣＨサブフレーム・パターンが１にセットされることに対応する。これらの状態の各々から引き出される準コロケーション・アサンプションは、システムの他の考慮事項に依存する。
【０２２２】
一例においては、移動局デバイスはＰＱＩを１つだけ受信する。この場合、該状態のうちの幾つか（例えば状態１および状態３、または状態４、など）は準コロケーション・アサンプション１に通じ、該準コロケーション・アサンプションは受信されたＰＱＩに対応する。該状態のうちの残りの状態（例えば、状態２）は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２２３】
他の一例においては、移動局デバイスは２つのＰＱＩ値を受信する。この場合、該状態のうちの幾つか（例えば、状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他方の受信されたＰＱＩに対応する。
【０２２４】
他の一例においては、移動局デバイスは３つのＰＱＩ値を受信する。この場合、該状態のうちの幾つか（例えば、状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他方の受信されたＰＱＩに対応する。
【０２２５】
他の一例においては、移動局デバイスは４つのＰＱＩ値を受信し、各状態は異なる準コロケーション・アサンプションに通じる。
【０２２６】
図２５は、サブフレームのうちの幾つかがフレキシブルなサブフレームとして設定される例を示す。
【０２２７】
フレキシブルなサブフレームは、前に説明されたように二重設定セット、アップリンク−ダウンリンク設定１およびアップリンク−ダウンリンク設定２により定義される。図の例では、次のサブフレーム、すなわちサブフレーム＃３、サブフレーム＃４、サブフレーム＃８、およびサブフレーム＃９がフレキシブルとして設定される。移動局デバイスは、それのためにＥＰＤＣＣＨサブフレーム・パターンが０にセットされているところのレガシー・サブフレームにおいてＰＤＣＣＨ  ＳＳ１を監視し、それのためにＥＰＤＣＣＨサブフレーム・パターンが１にセットされているところのレガシー・サブフレームにおいて設定（Ａ）を有するＥＰＤＣＣＨ  ＳＳ１を監視し、それのためにＥＰＤＣＣＨサブフレーム・パターンが１にセットされているところのレガシー・サブフレームにおいて設定（Ｂ）を有するＥＰＤＣＣＨ  ＳＳ１を監視するように期待される。さらに、移動局デバイスは、非−アップリンク・レガシー・サブフレームにおいてＰＤＣＣＨ  ＳＳ２を監視するように期待される。移動局デバイスは、該移動局デバイスがそれのためにアップリンク許可を持っていないところのフレキシブルなサブフレームにおいてＥＰＤＣＣＨ  ＳＳ２を監視するように期待される。
【０２２８】
リソース・エレメント・マッピング・アサンプション・フローチャートに従って、状態１はレガシー・サブフレームにおいてＥＰＤＣＣＨサブフレーム・パターンが０にセットされることに対応し、この場合、移動局デバイスはＰＤＣＣＨ  ＳＳ１を監視するように期待される。状態２はレガシー・サブフレームにおいてＥＰＤＣＣＨサブフレーム・パターンが１にセットされることに対応し、移動局デバイスは設定（Ａ）の下でＥＰＤＣＣＨ  ＳＳ１を監視するように期待される。状態３はフレキシブルなサブフレームにおいてＥＰＤＣＣＨサブフレーム・パターンが１にセットされることに対応し、移動局デバイスは設定（Ｂ）の下でＥＰＤＣＣＨ  ＳＳ１を監視するように期待される。状態４はレガシー・サブフレームに対応し、移動局デバイスはＰＤＣＣＨ  ＳＳ２を監視するように期待される。状態５はフレキシブルなサブフレームに対応し、移動局デバイスはＥＰＤＣＣＨ  ＳＳ２を監視するように期待される。
【０２２９】
準コロケーション・アサンプション・フローチャートに従って、状態１はレガシー・サブフレームにおいてＥＰＤＣＣＨサブフレーム・パターンが０にセットされることに対応し、状態２はレガシー・サブフレームにおいてＥＰＤＣＣＨサブフレーム・パターンが１にセットされることに対応し、状態３はフレキシブルなサブフレームにおいてＥＰＤＣＣＨサブフレーム・パターンが１にセットされることに対応し、状態４はレガシー・サブフレームに対応し、状態５はフレキシブルなサブフレームに対応する。これらの状態の各々から引き出される準コロケーション・アサンプションは、システムの他の考慮事項に依存する。
【０２３０】
一例では、移動局デバイスはＰＱＩを１つだけ受信する。この場合、状態のうちの幾つか（例えば、状態１および状態３、または状態４、など）は準コロケーション・アサンプション１に通じ、該準コロケーション・アサンプションは受信されたＰＱＩに対応する。該状態のうちの残りのもの（例えば、状態２）は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２３１】
他の一例においては、移動局デバイスは２つのＰＱＩ値を受信する。この場合、該状態のうちの幾つか（例えば、状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。
【０２３２】
他の一例においては、移動局デバイスは３つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他の受信されたＰＱＩに対応する。
【０２３３】
他の一例においては、移動局デバイスは４つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他の１つの受信されたＰＱＩに対応する。他の幾つかの状態（例えば状態５）は準コロケーション・アサンプション４に通じ、該準コロケーション・アサンプションは他の受信されたＰＱＩに対応する。
【０２３４】
他の一例においては、移動局デバイスは５つのＰＱＩ値を受信し、各状態は異なる準コロケーション・アサンプションに通じる。
【０２３５】
図２６は、どのサブフレームにおいて移動局デバイスが複数の異なるサーチスペースにおいてＥＰＤＣＣＨを監視するように期待されるかを示すために基地局デバイスが複数のビットマップを送信する場合を示す。該図は、ＳＳ１におけるＰＤＣＣＨ／ＥＰＤＣＣＨおよびＳＳ２におけるＰＤＣＣＨ／ＥＰＤＣＣＨに対応する２つのビットマップが送信される例を示す。
【０２３６】
移動局デバイスは、ＥＰＤＣＣＨサブフレーム・パターン１が０にセットされているレガシー・サブフレームおよびフレキシブルなサブフレームにおいてＰＤＣＣＨ  ＳＳ１を監視する。移動局デバイスは、ＥＰＤＣＣＨサブフレーム・パターン１が１にセットされているレガシー・サブフレームおよびフレキシブルなサブフレームにおいてＰＤＣＣＨ  ＳＳ１を監視する。さらに、移動局デバイスは、ＥＰＤＣＣＨサブフレーム・パターン２が０にセットされているレガシー・サブフレームおよびフレキシブルなサブフレームにおいてＰＤＣＣＨ  ＳＳ２を監視する。移動局デバイスは、ＥＰＤＣＣＨサブフレーム・パターン２が１にセットされているレガシー・サブフレームおよびフレキシブルなサブフレームにおいてＥＰＤＣＣＨ  ＳＳ２を監視する。
【０２３７】
リソース・エレメント・マッピング・アサンプション・フローチャートに従って、状態１はレガシー・サブフレームまたはフレキシブルなサブフレームにおいてＥＰＤＣＣＨサブフレーム・パターン１およびＥＰＤＣＣＨサブフレーム・パターン２の両方が０にセットされていることに対応し、この場合には移動局デバイスはＣＲＳが両方のサーチスペースに存在するサブフレームのためのリソース・エレメント・マッピングを想定する。状態２はＥＰＤＣＣＨサブフレーム・パターン１が１にセットされＥＰＤＣＣＨサブフレーム・パターン２が０にセットされていることに対応し、この場合には移動局デバイスは、ＣＲＳがＳＳ１に存在するサブフレームのためのリソース・エレメント・マッピングおよびＣＲＳがＳＳ２に存在しないかまたは該ＣＲＳの存在が短縮されているサブフレームのためのリソース・エレメント・マッピングを想定する。状態３はＥＰＤＣＣＨサブフレーム・パターン１が０にセットされＥＰＤＣＣＨサブフレーム・パターン２が１にセットされていることに対応し、この場合には移動局デバイスは、ＳＳ１においてＣＲＳが存在しないかまたは該ＣＲＳの存在が短縮されているサブフレームのためのリソース・エレメント・マッピングおよびＳＳ２にＣＲＳが存在するサブフレームのためのリソース・エレメント・マッピングを想定する。状態４はＥＰＤＣＣＨサブフレーム・パターン１およびＥＰＤＣＣＨサブフレーム・パターン２の両方が１にセットされていることに対応し、この場合には移動局デバイスは、ＳＳ１およびＳＳ２の両方においてＣＲＳが存在しないかまたは該ＣＲＳの存在が短縮されているサブフレームのためのリソース・エレメント・マッピングを想定する。
【０２３８】
準コロケーション・アサンプション・フローチャートに従って、状態１、２、３および４は上記のように同じ状態である。これらの状態の各々から引き出される準コロケーション・アサンプションは、システムの他の考慮事項に依存する。
【０２３９】
一例においては、移動局デバイスはＰＱＩを１つだけ受信する。この場合、該状態のうちの幾つか（例えば状態１および状態３、または状態４、など）は準コロケーション・アサンプション１に通じ、該準コロケーション・アサンプションは受信されたＰＱＩに対応する。該状態のうちの残りのもの（例えば、状態２）は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２４０】
他の一例においては、移動局デバイスは２つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。
【０２４１】
他の一例においては、移動局デバイスは３つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他の受信されたＰＱＩに対応する。
【０２４２】
他の一例においては、移動局デバイスは４つのＰＱＩ値を受信し、各状態は異なる準コロケーション・アサンプションに通じる。
【０２４３】
図２７は、サブフレームのうちの幾つかがフレキシブルなサブフレームとして設定され、どのサブフレームにおいて移動局デバイスが複数の異なるサーチスペースにおいてＥＰＤＣＣＨを監視するように期待されるかを示すために基地局デバイスが複数のビットマップを送信する例を示す。該図は、ＳＳ１におけるＰＤＣＣＨ／ＥＰＤＣＣＨおよびＳＳ２におけるＰＤＣＣＨ／ＥＰＤＣＣＨに対応する２つのビットマップが送信される例を示す。
【０２４４】
フレキシブルなサブフレームは、前に説明されたように二重設定セット、アップリンク−ダウンリンク設定１およびアップリンク−ダウンリンク設定２により定義される。該図の例では、次のサブフレーム、すなわちサブフレーム＃３、サブフレーム＃４、サブフレーム＃８、およびサブフレーム＃９、がフレキシブルとして設定される。移動局デバイスは、ＥＰＤＣＣＨサブフレーム・パターン１がそれのために０にセットされているところのレガシー・サブフレーム内のＰＤＣＣＨ  ＳＳ１、ＥＰＤＣＣＨサブフレーム・パターン１がそれのために１にセットされているところのレガシー・サブフレーム内の設定（Ａ）を有するＥＰＤＣＣＨ  ＳＳ１、およびＥＰＤＣＣＨサブフレーム・パターン１がそれのために１にセットされているところのレガシー・サブフレーム内の設定（Ｂ）を有するＥＰＤＣＣＨ  ＳＳ１を監視するように期待される。さらに、移動局デバイスは、ＥＰＤＣＣＨサブフレーム・パターン２がそれのために０にセットされているところのサブフレームにおいてＰＤＣＣＨ  ＳＳ２を監視するように期待される。移動局デバイスは、ＥＰＤＣＣＨサブフレーム・パターン２がそれのために１にセットされていて、該移動局デバイスがアップリンク許可を持っていないところのサブフレームにおいてＥＰＤＣＣＨ  ＳＳ２を監視するように期待される。
【０２４５】
リソース・エレメント・マッピング・アサンプション・フローチャートに従って、状態１はＥＰＤＣＣＨサブフレーム・パターン１が０にセットされていることに対応し、この場合、移動局デバイスはＰＤＣＣＨ  ＳＳ１を監視するように期待される。状態２はレガシー・サブフレームにおいてＥＰＤＣＣＨサブフレーム・パターン１が１にセットされていることに対応し、移動局デバイスは設定（Ａ）の下でＥＰＤＣＣＨ  ＳＳ１を監視するように期待される。状態３はフレキシブルなサブフレームにおいてＥＰＤＣＣＨサブフレーム・パターンが１にセットされることに対応し、移動局デバイスは設定（Ｂ）の下でＥＰＤＣＣＨ  ＳＳ１を監視するように期待される。状態４はＥＰＤＣＣＨサブフレーム・パターン２が０にセットされているサブフレームに対応し、移動局デバイスはＰＤＣＣＨ  ＳＳ２を監視するように期待される。状態５は、ＥＰＤＣＣＨサブフレーム・パターン２が１にセットされているサブフレームに対応し、移動局デバイスはＥＰＤＣＣＨ  ＳＳ２を監視するように期待される。
【０２４６】
準コロケーション・アサンプション・フローチャートに従って、状態１はＥＰＤＣＣＨサブフレーム・パターン１が１にセットされることに対応し、状態２はレガシー・サブフレームにおいてＥＰＤＣＣＨサブフレーム・パターン１が０にセットされることに対応し、状態３はフレキシブルなサブフレームにおいてＥＰＤＣＣＨサブフレーム・パターン１が１にセットされることに対応し、状態４はＥＰＤＣＣＨサブフレーム・パターン２が０にセットされることに対応し、状態５はＥＰＤＣＣＨサブフレーム・パターン２が１にセットされることに対応する。これらの状態の各々から引き出される準コロケーション・アサンプションは、システムの他の考慮事項に依存する。
【０２４７】
一例においては、移動局デバイスはＰＱＩを１つだけ受信する。この場合、該状態のうちの幾つか（例えば状態１および状態３、または状態４、など）は準コロケーション・アサンプション１に通じ、該準コロケーション・アサンプションは受信されたＰＱＩに対応する。該状態のうちの残りのもの（例えば状態２）は、非−ＣＲＳ／ＣＲＳ−短縮動作に十分なまでにオーバーライドされる、リソース・エレメント・マッピングに関連するパラメータを除く全てのパラメータにおいて受信されたＰＱＩと同等のパラメータ・セットに対応する。
【０２４８】
他の一例においては、移動局デバイスは２つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。
【０２４９】
他の一例においては、移動局デバイスは３つのＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他の受信されたＰＱＩに対応する。
【０２５０】
他の一例においては、移動局デバイスは４つＰＱＩ値を受信する。この場合、該状態のうちの幾つか（例えば状態１および状態３、または状態２、など）は準コロケーション・アサンプション１に通じ、該準コロケーション・アサンプションは受信されたＰＱＩのうちの１つに対応する。他の幾つかの状態（例えば状態４）は準コロケーション・アサンプション２に通じ、該準コロケーション・アサンプションは他の１つの受信されたＰＱＩに対応する。他の幾つかの状態（例えば状態２）は準コロケーション・アサンプション３に通じ、該準コロケーション・アサンプションは他の１つの受信されたＰＱＩに対応する。他の幾つかの状態（例えば状態５）は準コロケーション・アサンプション４に通じ、該準コロケーション・アサンプションは他の受信されたＰＱＩに対応する。
【０２５１】
他の一例においては、移動局デバイスは５つのＰＱＩ値を受信し、各状態は異なる準コロケーション・アサンプションに通じる。
【０２５２】
図２８は、ｅＣＳＳ  ｅＰＤＣＣＨ−ＰＲＢ−セットの明示的インジケーションのために使用され得る情報エレメントの例を示す。特に、該情報エレメントはＥＰＤＣＣＨ−Ｃｏｎｆｉｇ−ｒ１２とラベリングされている。
【０２５３】
ＳｕｂｆｒａｍｅＰａｔｔｅｒｎＣｏｎｆｉｇ−ｒ１２は４０個のサブフレームのためのビットマップを含み、どのサブフレームがｅＰＤＣＣＨ動作のために設定されるかを示す。
【０２５４】
ＳｔａｒｔＳｙｍｂｏｌ−ｒ１２は、サブフレームの第１スロット内の同じセル上の、任意のｅＰＤＣＣＨおよび／またはｅＰＤＣＣＨによりスケジューリングされたＰＤＳＣＨのための先頭のＯＦＤＭシンボルを示す。このフィールドは、送信モード１〜９で設定された移動局デバイスのために設定され得る。移動局デバイスの設定は、移動局デバイスが設定されるときにパラメータＳｔａｒｔＳｙｍｂｏｌ−ｒ１２の値により決定される。移動局デバイスがより高位の層のパラメータＳｔａｒｔＳｙｍｂｏｌ−ｒ１２で設定されるならば、サブフレーム内の第１スロット内のインデックスｌＥＰＤＣＣＨＳｔａｒｔにより与えられるＥＰＤＣＣＨおよび／またはｅＰＤＣＣＨによりスケジューリングされたＰＤＳＣＨのための先頭のＯＦＤＭシンボルは、該より高位の層のパラメータから決定される。値０、１、２、および３は、１０リソース・ブロックより大きいダウンリンク帯域幅に適用可能である。値０、２、３、および４は、その他に適用可能である。そうでなければ、移動局デバイスは該設定をリリースし、ＰＣＦＩＣＨにより示されるＣＦＩ（ｃｏｎｔｒｏｌ  Ｆｏｒｍａｔ  Ｉｎｄｉｃａｔｏｒ（制御フォーマット・インジケータ））値からｅＰＤＣＣＨおよびｅＰＤＣＣＨによりスケジューリングされたＰＤＳＣＨの先頭のＯＦＤＭシンボルを引き出す。
【０２５５】
さらに、移動局デバイスが所与のサブフレーム設定で設定されるならば、ＥＰＤＣＣＨおよび／またはｅＰＤＣＣＨによりスケジューリングされるＰＤＳＣＨのための先頭のＯＦＤＭシンボルは、上で説明されたようにサブフレーム設定、例えばアップリンク−ダウンリンク設定および／またはＥＰＤＣＣＨサブフレーム・パターン、により示されるサブフレームのタイプ、に依存して決定される。
【０２５６】
ＥＰＤＣＣＨ−ＳｅｔＣｏｎｆｉｇ−ｒ１２は、ｅＵＳＳまたはｅＣＳＳのために専用されるｅＰＤＣＣＨ−ＰＲＢ−セットの設定情報を含む。ＳｅｔＣｏｎｆｉｇＩｄ−ｒ１２は、該セットのアイデンティティであって、もしｅＣＳＳが別のｅＰＤＣＣＨ−セットにおいて設定されるならば０、１、またはそれ以上に初期化される。例えば、ｅＵＳＳはセット０および１で送信され、ｅＣＳＳはセット２で送信される。ＴｒａｎｓｍｉｓｓｉｏｎＴｙｐｅ−ｒ１１は、送信がローカライズされているか分散されているかを示す。ＲｅｓｏｕｒｃｅＢｌｏｃｋＡｓｓｉｇｎｍｅｎｔ−ｒ１２は、ｅＰＤＣＣＨ−ＰＲＢ−セットのために使用されるＰＲＢの情報を含む。ｅＰＤＣＣＨ−ＰＲＢ−セットは、ｎｕｍｂｅｒＰＲＢ−Ｐａｉｒｓ−ｒ１２により示されるように、２個、４個、８個、またはそれ以上のＰＲＢにわたり得る。該ＰＲＢの位置は組み合わせインデックスであるｒｅｓｏｕｒｃｅＢｌｏｃｋＡｓｓｉｇｎｍｅｎｔ−ｒ１２として与えられる。ｅＰＤＣＣＨ−ＰＲＢ−セットのＤＭＲＳスクランブリング・シーケンスはｄｍｒｓ−ＳｃｒａｍｂｌｉｎｇＳｅｑｕｅｎｃｅＩｎｔ−ｒ１２により与えられる。ＰＵＣＣＨにおけるＨＡＲＱレスポンスのためのスタート・オフセットはｐｕｃｃｈ−ＲｅｓｏｕｒｃｅＳｔａｒｔＯｆｆｓｅｔ−ｒ１１において与えられる。
【０２５７】
Ｒｅ−ＭａｐｐｉｎｇＱＣＬ−ＣｏｎｆｉｇＬｉｓｔＩｄ−ｒ１２は、送信モード１０またはそれ以上で設定される移動局デバイスのために設定される。より高位の層のパラメータにより示されるパラメータ・セットＲｅ−ＭａｐｐｉｎｇＱＣＬ−ＣｏｎｆｉｇＬｉｓｔＩｄ−ｒ１２は、ＥＰＤＣＣＨリソース・エレメント・マッピングおよびＥＰＤＣＣＨアンテナ・ポート準コロケーションのために決定される。該パラメータ・セットはｃｒｓ−ＰｏｒｔｓＣｏｕｎｔ、ｃｒｓ−ＦｒｅｑＳｈｉｆｔ、ｍｂｓｆｎ−ＳｕｂｆｒａｍｅＣｏｎｆｉｇＬｉｓｔ、ｃｓｉ−ＲＳ−ＣｏｎｆｉｇＺＰＩｄ、ｐｄｓｃｈ−Ｓｔａｒｔ、および／またはｑｃｌ−ＣＳＩ−ＲＳ−ＣｏｎｆｉｇＮＺＰＩｄを含む。ＥＰＤＣＣＨ  ＲＥマッピングのためのＣＲＳ位置は、パラメータｃｒｓ−ＰｏｒｔｓＣｏｕｎｔ、ｃｒｓ−ＦｒｅｑＳｈｉｆｔ、およびｍｂｓｆｎ−ＳｕｂｆｒａｍｅＣｏｎｆｉｇＬｉｓｔにより示される。ＥＰＤＣＣＨ  ＲＥマッピングのためのＣＳＩ−ＲＳ位置は、パラメータｃｓｉ−ＲＳ−ＣｏｎｆｉｇＺＰＩｄにより示される。ＥＰＤＣＣＨおよび／またはｅＰＤＣＣＨによりスケジューリングされるＰＤＳＣＨのための先頭のＯＦＤＭシンボルは、パラメータｐｄｓｃｈ−Ｓｔａｒｔにより示される。パラメータｑｃｌ−ＣＳＩ−ＲＳ−ＣｏｎｆｉｇＮＺＰＩｄは、ＰＤＳＣＨアンテナ・ポートと準コロケートされるＣＳＩ−ＲＳリソースを示す。該パラメータｃｒｓ−ＰｏｒｔｓＣｏｕｎｔの値は１、２、４、または０であり得る。
【０２５８】
もしパラメータｐｄｓｃｈ−Ｓｔａｒｔの値が｛１，２，３，４｝に属するならば、ＥＰＤＣＣＨおよび／またはｅＰＤＣＣＨによりスケジューリングされるＰＤＳＣＨのための先頭のＯＦＤＭシンボルは、パラメータｐｄｓｃｈ−Ｓｔａｒｔに基づいて決定される。そうでなければ、ＥＰＤＣＣＨおよび／またはｅＰＤＣＣＨによりスケジューリングされるＰＤＳＣＨのための先頭のＯＦＤＭシンボルは、サブフレーム内のＰＣＦＩＣＨにより示されるＣＦＩ（Ｃｏｎｔｒｏｌ  Ｆｏｒｍａｔ  Ｉｎｄｉｃａｔｏｒ（制御フォーマット・インジケータ））値に基づいて決定される。
【０２５９】
さらに、もし移動局デバイスがサブフレーム設定（例えばサブフレーム・タイプ・インジケーション、アップリンク−ダウンリンク設定および／またはＥＰＤＣＣＨサブフレーム・パターン）で設定されるならば、ＥＰＤＣＣＨおよび／またはｅＰＤＣＣＨによりスケジューリングされるＰＤＳＣＨのためのＣＲＳ、ＣＳＩ−ＲＳ、または先頭のＯＦＤＭシンボルに関してリソース・エレメント・マッピング・アサンプションは、サブフレーム設定により示されるサブフレームのタイプに依存して決定され得る。
【０２６０】
ＥＰＤＣＣＨのためのアンテナ・ポート準コロケーションの例が説明される。
【０２６１】
所与のサービング・セルについて、もしＵＥが送信モード１〜９に従ってＰＤＳＣＨデータ送信を受信するようにより高位の層のシグナリングを介して設定され、かつＵＥがＥＰＤＣＣＨを監視するように設定されているならば、ＵＥは、サービング・セルのアンテナ・ポート０〜３、１０７〜１１０がドップラー・シフト、ドップラー・スプレッド、平均遅延および遅延スプレッドに関して準コロケートされると想定することができる。
【０２６２】
所与のサービング・セルについて、もしＵＥが送信モード１０に従ってＰＤＳＣＨデータ送信を受信するようにより高位の層のシグナリングを介して設定され、かつＵＥがＥＰＤＣＣＨを監視するように設定され、かつＵＥが準コロケーション・タイプ−Ａに従ってＰＤＳＣＨを復号するようにより高位の層により設定されているならば、各ＥＰＤＣＣＨ−ＰＲＢ−セットについてＵＥは、サービング・セルのアンテナ・ポート０〜３、１０７〜１１０がドップラー・シフト、ドップラー・スプレッド、平均遅延、および遅延スプレッドに関して準コロケートされると想定することができる。
【０２６３】
所与のサービング・セルについて、もしＵＥが送信モード１０に従ってＰＤＳＣＨデータ送信を受信するようにより高位の層のシグナリングを介して設定され、かつＵＥがＥＰＤＣＣＨを監視するように設定され、かつＵＥが準コロケーション・タイプ−Ｂに従ってＰＤＳＣＨを復号するようにより高位の層により設定されているならば、各ＥＰＤＣＣＨ−ＰＲＢ−セットについてＵＥは、より高位の層のパラメータｑｃｌ−ＣＳＩ−ＲＳ−ＣｏｎｆｉｇＮＺＰＩｄ−ｒ１１に対応するアンテナ・ポート１５〜２２およびアンテナ・ポート１０７〜１１０がドップラー・シフト、ドップラー・スプレッド、平均遅延、および遅延スプレッドに関して準コロケートされると想定することができる。
【０２６４】
さらに、もし移動局デバイスがサブフレーム設定（例えばサブフレーム・タイプ・インジケーション、アップリンク−ダウンリンク設定および／またはＥＰＤＣＣＨサブフレーム・パターン）で設定されるならば、準コロケーション・アサンプションは、該サブフレーム設定により示されるサブフレームに依存して決定され得る。
【０２６５】
リソース・エレメント・マッピング・アサンプションおよび準コロケーション・アサンプションは、より高位の層のパラメータＲｅ−ＭａｐｐｉｎｇＱＣＬ−ＣｏｎｆｉｇＬｉｓｔＩｄ−ｒ１２により示されるパラメータ・セットに依存して決定され得る。例えば、数個のより高位の層のパラメータＲｅ−ＭａｐｐｉｎｇＱＣＬ−ＣｏｎｆｉｇＬｉｓｔＩｄ−ｒ１２が設定されるとき、リソース・エレメント・マッピングおよび準コロケーションのための各アサンプションは各パラメータＲｅ−ＭａｐｐｉｎｇＱＣＬ−ＣｏｎｆｉｇＬｉｓｔＩｄ−ｒ１２と関連付けられる。例えば、１つのより高位の層のパラメータＲｅ−ＭａｐｐｉｎｇＱＣＬ−ＣｏｎｆｉｇＬｉｓｔＩｄ−ｒ１２が設定されるとき、リソース・エレメント・マッピングおよび準コロケーションのための各アサンプションは該パラメータＲｅ−ＭａｐｐｉｎｇＱＣＬ−ＣｏｎｆｉｇＬｉｓｔＩｄ−ｒ１２および他のパラメータと関連付けられる。
【０２６６】
リソース・エレメント・マッピング・アサンプション・フローチャートに従って、リソース・エレメント・マッピングは、状態“ｓｕｂｆｒａｍｅ  ｔｙｐｅ”（レガシー（状態１）またはフレキシブル（状態２））に従って行われる。リソース・エレメント・マッピングは、レガシー・ダウンリンク送信のために設定されたサブフレーム内のｒｅ−ＭａｐｐｉｎｇＱＣＬＣｏｎｆｉｇＬｉｓｔＩｄ−ｒ１２により示されるパラメータ・セットを用いて行われる（リソース・エレメント・マッピング・アサンプション１）。リソース・エレメント・マッピングは、ＣＲＳに関連するパラメータを除いて、フレキシブルなサブフレームとして設定されたサブフレーム内のｒｅ−ＭａｐｐｉｎｇＱＣＬＣｏｎｆｉｇＬｉｓｔＩｄ−ｒ１２により示されるパラメータ・セットを用いて行われる。フレキシブルなサブフレームにおいて、基地局デバイスおよび移動局はＣＲＳが存在しないと想定することができ、従ってリソース・エレメント・マッピングはＣＲＳの周りでは行われない（リソース・エレメント・マッピング・アサンプションＢ）。
【０２６７】
あるいは、フレキシブルなサブフレームはＣＲＳを用いてあるいはＣＲＳ無しで構築され得る。フレキシブルなサブフレーム内のＣＲＳの存在は、暗黙におよび／または明示的に信号される。この場合、移動局デバイスは、状態“フレキシブルなサブフレームのＣＲＳ設定”に基づいてリソース・エレメント・マッピングを行う。
【０２６８】
準コロケーションに関連するパラメータｐｄｓｃｈ−Ｓｔａｒｔ−ｒ１１のリザーブされるビットは、シンボル０でスタートするために’ｎ０’として定義される。このパラメータは、全ての送信モードをカバーするためにｓｔａｒｔＳｙｍｂｏｌ−ｒ１２を補完する。
【０２６９】
他の一例においては、ｅＣＳＳに関連する設定は、レガシーＥＰＤＣＣＨ−Ｃｏｎｆｉｇ−ｒ１１への付加として与えられる。その場合、ＳｔａｒｔＳｙｍｂｏｌ−ｒ１１は値０で初期化されることができない。特別のセットＥＰＤＣＣＨ−ｅＣＳＳ−ｓｅｔＣｏｎｆｉｇ−ｒ１２が定義され、ここでｅＣＳＳに関連するパラメータが与えられる。ＯＦＤＭシンボル０の使用を示す特別のパラメータが、付加されたｅＣＳＳパラメータ・セットにおいて定義される。その場合、移動局デバイスは該シンボル０からｅＵＳＳも監視する。
【０２７０】
あるいは、ｓｕｂｆｒａｍｅＰａｔｔｅｒｎＣｏｎｆｉｇ−ｒ１２は、２つのｓｕｂｆｒａｍｅＰａｔｔｅｒｎ−ｒ１１エレメントを含むように設定され得る。その第１のエレメントは、移動局デバイスによるマークされているサブフレーム内のｅＵＳＳの監視を設定するために使用される。第２のエレメントは、移動局デバイスによるマークされているサブフレーム内のｅＣＳＳの監視を設定するために使用される。
【０２７１】
本発明の他の一実施態様では、エレメントｒｅ−ＭａｐｐｉｎｇＱＣＬ−ＣｏｎｆｉｇＬｉｓｔＩｄ−ｒ１２は２つの準コロケーション・インデックスを含む。
【０２７２】
ｅＣＳＳが設定されているレガシー・サブフレームについては（状態１）、リソース・エレメント・マッピングは、第１ｒｅ−ＭａｐｐｉｎｇＱＣＬ−ＣｏｎｆｉｇＬｉｓｔ−ｒ１２インデックスにより与えられるパラメータ・セットに従って行われる（リソース・エレメント・マッピング・アサンプション１）。ｅＣＳＳが設定されているフレキシブルなサブフレームについては（状態２）、リソース・エレメント・マッピングは、第２ｒｅ−ＭａｐｐｉｎｇＱＣＬ−ＣｏｎｆｉｇＬｉｓｔ−ｒ１２により与えられるパラメータ・セットに従って行われる（リソース・エレメント・マッピング・アサンプション２）。
【０２７３】
準コロケーション・アサンプション・フローチャートに従って、準コロケーションがタイプＡとして定義される場合、ＣＲＳアンテナ・ポート（０〜３）およびＤＭＲＳアンテナ・ポート（１０７〜１１０）は準コロケートされると見なされ得る。
【０２７４】
準コロケーションがタイプＢとして定義される場合には、準コロケーションはサブフレーム・タイプ（状態）に依存する。レガシー・サブフレームにおいては（状態１）、第１ｒｅ−ＭａｐｐｉｎｇＱＣＬ−ＣｏｎｆｉｇＬｉｓｔ−ｒ１２により参照されるパラメータ・セット内のパラメータｑｃｌ−ＣＳＩ−ＲＳ−ＣｏｎｆｉｇＮＺＰＩｄに対応するＣＳＩ−ＲＳアンテナ・ポート（１５〜２２）は、ＤＭＲＳアンテナ・ポートと準コロケートされると見なされ得る（準コロケーション・アサンプション１）。フレキシブルなサブフレームにおいては（状態２）、第２ｒｅ−ＭａｐｐｉｎｇＱＣＬ−ＣｏｎｆｉｇＬｉｓｔ−ｒ１２により参照されるパラメータ・セット内のパラメータｑｃｌ−ＣＳＩ−ＲＳ−ＣｏｎｆｉｇＮＺＰＩｄに対応するＣＳＩ−ＲＳアンテナ・ポートは、ＤＭＲＳアンテナ・ポートと準コロケートされると見なされ得る（準コロケーション・アサンプション２）。
【０２７５】
本発明の他の一実施態様では、複数の、対にされたｓｕｂｆｒａｍｅＰａｔｔｅｒｎ−ｒ１１およびｒｅ−ＭａｐｐｉｎｇＱＣＬ−ＣｏｎｆｉｇＬｉｓｔＩｄ−ｒ１２が送信される。例えば、１つの対は、それのためにｅＰＤＣＣＨがＱＣＬアサンプション（リソース・エレメント・マッピングを含む）の下で送信されるところのサブフレームを示して送信されることができ、他の１つの対は、その中でｅＰＤＣＣＨが異なるＱＣＬアサンプションの下で送信されるところの異なるサブフレームを指して送信されることができる。
【０２７６】
この場合はＴＭ１０だけのために利用可能にされ得るが、その代わりに、この場合は、サブフレーム・マッピングおよび準コロケーション・パラメータ・セット（これはリソース・エレメント・マッピング・パラメータを含む）の設定ペアリングにテコ入れするために全ての送信モードのために利用可能にされ得る。
【０２７７】
準コロケーションがタイプＡとして定義される場合、ＣＲＳアンテナ・ポートおよびＤＭＲＳアンテナ・ポートは、準コロケートされると見なされ得る。準コロケーションがタイプＢとして定義される場合、ｓｕｂｆｒａｍｅＰａｔｔｅｒｎ−ｒ１１およびｒｅ−ＭａｐｐｉｎｇＱＣＬ−ＣｏｎｆｉｇＬｉｓｔＩｄ−ｒ１２の各対について、ｒｅ−ＭａｐｐｉｎｇＱＣＬ−ＣｏｎｆｉｇＬｉｓｔ−ｒ１２により参照されるパラメータ・セット内のパラメータｑｃｌ−ＣＳＩ−ＲＳ−ＣｏｎｆｉｇＮＺＰＩｄに対応するＣＳＩ−ＲＳは、ＤＭＲＳポートと準コロケートされると見なされ得る。
【０２７８】
この場合、状態クローズは、選択されたｓｕｂｆｒａｍｅＰａｔｔｅｒｎ−ｒ１１およびｒｅ−ＭａｐｐｉｎｇＱＣＬ−ＣｏｎｆｉｇＬｉｓｔＩｄ−ｒ１２の対である。この場合、状態の数は２に制限されず、リソース・エレメント・マッピング／準コロケーション・アサンプションの対と同数の状態がある。
【０２７９】
前の例のいずれにおいても、ｅＣＳＳはｅＵＳＳのｅＰＤＣＣＨ−セットとは別のｅＰＤＣＣＨ−セットにおいて設定され得る。移動局デバイスは、ｅＵＳＳのために定義されたｅＰＤＣＣＨ−セットにおいてはｅＵＳＳについて監視し、ｅＣＳＳのために定義されたｅＰＤＣＣＨ−セットにおいてはｅＣＳＳについて監視する。
【０２８０】
あるいは、ｅＣＳＳは、ｅＵＳＳのために定義されたｅＰＤＣＣＨ−ＰＲＢ−セットのうちのいずれかまたは全てに含まれ得る。移動局デバイスは、ｅＵＳＳおよびｅＣＳＳについて全てのｅＰＤＣＣＨ−ＰＲＢ−セットを監視する。
【０２８１】
あるいは、ｅＣＳＳはｅＰＤＣＣＨ−セットのうちの１つのためにだけ設定され得る。移動局デバイスは、全てのｅＰＤＣＣＨ−ＰＲＢ−セットにおいてｅＵＳＳを監視し、設定されたｅＰＤＣＣＨ−ＰＲＢ−セットにおいてｅＣＳＳを監視する。
【０２８２】
あるいは、ｅＰＤＣＣＨ−ＰＲＢ−セットのうちの１つのＥＣＣＥをｅＣＳＳおよびｅＵＳＳ動作のために分割することができる。例えば、ｅＰＤＣＣＨ−ＰＲＢ−セット０のＥＣＣＥの第１半分はｅＣＳＳのために設定され、該ＥＣＣＥの第２半分はｅＵＳＳのために設定される。
【０２８３】
あるいは、基地局デバイスは所与の順序に従ってＥＣＣＥを割り当て、ｅＣＳＳに対応するＥＣＣＥをｅＰＤＣＣＨ−ＰＲＢ−セットのＥＣＣＥの第１半分に割り当て、ｅＵＳＳに対応するＥＣＣＥをｅＰＤＣＣＨ−ＰＲＢ−セットのＥＣＣＥの第２半分に割り当てる。移動局デバイスは、各連結レベルについてｅＣＳＳの第１の可能なインスタンスを監視し、もしその試みが失敗したならばオプションのうちの残りのもののブラインド復号を飛び越す。
【０２８４】
本発明の他の一実施態様では、ｅＣＳＳは複数のｅＰＤＣＣＨ−ＰＲＢ−セット間に分散される。全てのｅＰＤＣＣＨ−ＰＲＢ−セットが同じサイズを有する。例えば、ｅＣＳＳは各ｅＰＤＣＣＨ−ＰＲＢ−セットのＥＣＣＥの第１半分を占有し、ｅＵＳＳは各ｅＰＤＣＣＨ−ＰＲＢ−セットのＥＣＣＥの第２半分を占有する。
【０２８５】
先の例では、フレキシブルなサブフレームの方向は、移動局デバイスによって暗黙に決定されると考えられる。移動局デバイスがそれについてアップリンク許可を持っているところのフレキシブルなサブフレームはアップリンク・サブフレームと考えられ、監視は行われない。そうでなければ、移動局デバイスは、フレキシブルなサブフレームがアップリンクであるのかダウンリンクであるのか知ることができず、従って適切なサーチスペースを監視する。これは一例であり、適用され得る唯一の動作方法ではない。他の１つの場合には、基地局デバイスはフレキシブルなサブフレームの方向を示すＲＲＣ設定メッセージを送信する。他の１つの場合には、この情報は各サブフレームについてＰＤＣＣＨで、例えば共通メッセージで、送信される。
【０２８６】
本発明に従って基地局デバイスおよび移動局デバイスにおいて操作されるプログラムは、本発明の上記実施態様の機能を実現するためにＣＰＵ（Ｃｅｎｔｒａｌ  Ｐｒｏｃｅｓｓｉｎｇ  Ｕｎｉｔ（中央処理装置））等を制御するためのプログラム（コンピュータを機能させるプログラム）であり得る。これらのデバイスにおいて処理される情報は、該情報の処理中ＲＡＭ（Ｒａｎｄｏｍ  Ａｃｃｅｓｓ  Ｍｅｍｏｒｙ（ランダム・アクセス・メモリ））に一時的に格納され、その後フラッシュＲＯＭ（Ｒｅａｄ  Ｏｎｌｙ  Ｍｅｍｏｒｙ（読み出し専用メモリ））またはＨＤＤ（Ｈａｒｄ  Ｄｉｓｋ  Ｄｒｉｖｅ（ハード・ディスク・ドライブ））などの種々のＲＯＭに格納され、必要に応じてＣＰＵにより読み出され、訂正され、あるいは書き込まれる。
【０２８７】
上記実施態様に従う移動局デバイスおよび基地局デバイスの一部はコンピュータによって実装され得る。その場合、この制御機能を実行するためのプログラムはコンピュータ可読記録媒体に記録されることができ、コンピュータ・システムは該記録媒体に記録されているプログラムを読み出して実行させられ得る。
【０２８８】
ここで、“コンピュータ・システム”は、移動局デバイスまたは基地局デバイスの各々に含まれるコンピュータ・システムであり、ＯＳおよび周辺デバイスなどのハードウェアを含む。“コンピュータ可読記録媒体”は、フレキシブル・ディスク、光磁気ディスク、ＲＯＭ、もしくはＣＤ−ＲＯＭなどの携帯可能な媒体、または該コンピュータ・システムに含まれるハード・ディスクなどの記憶装置である。
【０２８９】
さらに、“コンピュータ可読記録媒体”は、インターネットなどのネットワークを介してプログラムを送信するために使用される通信回線または電話回線などの通信回線などの、短時間の間プログラムを動的に保持する物体、ならびにこの場合にはサーバまたはクライアントとして役立つコンピュータ・システムにおける揮発性メモリなどの、一定期間にわたってプログラムを保持する物体をも含み得る。さらに、上記のプログラムは、上記機能のうちの幾つかを実行することができ、あるいは上記機能をコンピュータ・システムにすでに記録されているプログラムと組み合わせることによって実装され得る。
【０２９０】
さらに、上記の実施態様における移動局デバイスおよび基地局デバイスの一部または全体は、典型的には集積回路であるＬＳＩとして、またはチップ・セットとして、実現され得る。移動局デバイスおよび基地局デバイスの個々の機能ブロックは個別にチップに形成されることができ、あるいは該機能ブロックのうちの幾つかまたは全ては１つのチップに集積化されることができる。集積回路を形成するための方法は、ＬＳＩに限定されず、専用回路または汎用プロセッサにより実現され得る。半導体技術の進歩がＬＳＩに取って代わる集積化技術を作り出す場合、その技術による集積回路が使用され得る。
【０２９１】
本発明の幾つかの実施態様が図面を参照して詳しく記載されたけれども、具体的な設定は上で記載された設定に限定されず、本発明の要旨から逸脱することなく種々のデザイン改変等が行われ得る。
【符号の説明】
【０２９２】
１  基地局デバイス
２  移動局デバイス
３  ＰＤＣＣＨ／ｅＰＤＣＣＨ
４  ダウンリンク・データ送信
５  物理アップリンク制御チャネル
１０１  より高位の層の処理ユニット
１０１１  無線リソース管理ユニット
１０１３  サブフレーム設定ユニット
１０１５  スケジューリング・ユニット
１０１７  ＣＳＩレポート管理ユニット
１０３  制御ユニット
１０５  受信ユニット
１０５１  復号ユニット
１０５３  復調ユニット
１０５５  多重分離ユニット
１０５７  無線受信ユニット
１０５９  チャネル推定ユニット
１０７  送信ユニット
１０７１  符号化ユニット
１０７３  変調ユニット
１０７５  多重化ユニット
１０７７  無線送信ユニット
１０７９  アップリンク基準信号生成ユニット
１０９  アンテナ・ユニット
３０１  より高位の層の処理ユニット
３０１１  無線リソース管理ユニット
３０１３  サブフレーム設定ユニット
３０１５  スケジューリング・ユニット
３０１７  ＣＳＩレポート管理ユニット
３０３  制御ユニット
３０５  受信ユニット
３０５１  復号ユニット
３０５３  復調ユニット
３０５５  多重分離ユニット
３０５７  無線受信ユニット
３０５９  チャネル推定ユニット
３０７  送信ユニット
３０７１  符号化ユニット
３０７３  変調ユニット
３０７５  多重化ユニット
３０７７  無線送信ユニット
３０７９  アップリンク基準信号生成ユニット
３０９  アンテナ・ユニット
【図１】
2016529745.tif 000003
【図２】
2016529745.tif 000004
【図３】
2016529745.tif 000005
【図４】
2016529745.tif 000006
【図５】
2016529745.tif 000007
【図６】
2016529745.tif 000008
【図７】
2016529745.tif 000009
【図８】
2016529745.tif 000010
【図９】
2016529745.tif 000011
【図１０】
2016529745.tif 000012
【図１１】
2016529745.tif 000013
【図１２】
2016529745.tif 000014
【図１３】
2016529745.tif 000015
【図１４】
2016529745.tif 000016
【図１５】
2016529745.tif 000017
【図１６】
2016529745.tif 000018
【図１７】
2016529745.tif 000019
【図１８】
2016529745.tif 000020
【図１９】
2016529745.tif 000021
【図２０】
2016529745.tif 000022
【図２１】
2016529745.tif 000023
【図２２】
2016529745.tif 000024
【図２３】
2016529745.tif 000025
【図２４】
2016529745.tif 000026
【図２５】
2016529745.tif 000027
【図２６】
2016529745.tif 000028
【図２７】
2016529745.tif 000029
【図２８】
2016529745.tif 000030
【国際調査報告】
2016529745.tif 000031